(57)【特許請求の範囲】
【請求項１】
第１のフレーム期間及び前記第１のフレーム期間よりも後であって且つ前記第１のフレーム期間に連続する第２のフレーム期間は、それぞれ第１のサブフレーム期間、前記第１のサブフレーム期間よりも後であって且つ前記第１のサブフレーム期間に連続する第２のサブフレーム期間及び前記第２のサブフレーム期間よりも後であって且つ前記第２のサブフレーム期間に連続する第３のサブフレーム期間を有し、
前記第１のフレーム期間において表示領域の前半の行に、
前記第１のサブフレーム期間では、第１の赤の画像信号を書き込んだ後に、赤色の光源の点灯をし、
前記第２のサブフレーム期間では、第１の緑の画像信号を書き込んだ後に、緑色の光源の点灯をし、
前記第３のサブフレーム期間では、第１の青の画像信号を書き込んだ後に、青色の光源の点灯をし、
前記第１のフレーム期間において表示領域の後半の行に、
前記第１のサブフレーム期間では、青色の光源の点灯をした後に、青色の光源の消灯をし且つ前記第１の赤の画像信号を書き込み、
前記第２のサブフレーム期間では、赤色の光源の点灯をした後に、赤色の光源の消灯をし且つ前記第１の緑の画像信号を書き込み、
前記第３のサブフレーム期間では、緑色の光源の点灯をした後に、緑色の光源の消灯をし且つ第２の青の画像信号を書き込み、
前記第２のフレーム期間において表示領域の前半の行に、
前記第１のサブフレーム期間では、第２の赤の画像信号を書き込んだ後に、赤色の光源の点灯をし、
前記第２のサブフレーム期間では、第２の緑の画像信号を書き込んだ後に、緑色の光源の点灯をし、
前記第３のサブフレーム期間では、第２の青の画像信号を書き込んだ後に、青色の光源の点灯をし、
前記第２のフレーム期間において表示領域の後半の行に、
前記第１のサブフレーム期間では、青色の光源の点灯をした後に、青色の光源の消灯をし且つ前記第２の赤の画像信号を書き込み、
前記第２のサブフレーム期間では、赤色の光源の点灯をした後に、赤色の光源の消灯をし前記第２の緑の画像信号を書き込み、
前記第３のサブフレーム期間では、緑色の光源の点灯をした後に、緑色の光源の消灯をし第３の青の画像信号を書き込み、
前記第１の赤の画像信号、前記第１の緑の画像信号及び前記第１の青の画像信号は、前記第１のフレーム期間において表示する画像に対応する画像信号であり、
前記第２の赤の画像信号、前記第２の緑の画像信号及び前記第２の青の画像信号は、前記第２のフレーム期間において表示する画像に対応する画像信号であり、
前記第３の青の画像信号は、前記第２のフレーム期間よりも後であって且つ前記第２のフレーム期間に連続する第３のフレーム期間において表示する画像に対応する画像信号であることを特徴とする表示装置の駆動方法。
【請求項２】
請求項１において、
表示領域に複数の画素を有し、
前記複数の画素のそれぞれは、トランジスタを有し、
前記トランジスタは、チャネル層に酸化物半導体を用いたものであることを特徴とする表示装置の駆動方法。
【発明の詳細な説明】
【技術分野】
【０００１】
本発明は表示装置の駆動方法、特に表示素子に液晶素子を用いた液晶表示装置の駆動方法に関する。
【背景技術】
【０００２】
表示装置は、液晶表示装置に代表されるように、テレビ受像機などの大型表示装置から携帯電話などの小型表示装置に至るまで、普及が進んでいる。今後は、より付加価値の高い製品が求められており開発が進められている。近年では、地球環境への関心の高まり、及びモバイル機器の利便性向上の点から、低消費電力型の表示装置の開発が注目されている。
【０００３】
低消費電力型の表示装置として、フィールドシーケンシャル方式（色順次表示方式、時間分割表示方式、継時加法混色表示方式とも呼ばれる）で表示を行う表示装置がある。フィールドシーケンシャル方式は、赤（以下Ｒと略記することもある）、緑（以下Ｇと略記することもある）、青（以下Ｂと略記することもある）のバックライトの点灯を時間的に切り替えて表示パネルに供給し、加法混色によりカラー表示を視認する。そのため、各画素にカラーフィルタを設ける必要がなく、バックライトからの透過する光の利用効率を高めることができ、低消費電力化を実現できる。またフィールドシーケンシャル方式で表示を行う表示装置は１つの画素でＲ、Ｇ、Ｂを表現することができるため、高精細化が容易であるといった利点がある。
【０００４】
フィールドシーケンシャル方式による駆動では、色割れ（カラーブレイクとも呼ばれる）といった特有の表示不良の問題がある。色割れの問題は、一定期間内での画像信号の書き込み回数を増やすことで、低減できることが知られている。
【０００５】
特許文献１では一定期間内での画像信号の書き込み回数を増やすために、フィールドシーケンシャル方式により表示を行う液晶表示装置において、表示領域を複数の領域に分割し、バックライトも対応する複数の領域に分割する構成について開示している。
【０００６】
また特許文献２には、フィールドシーケンシャル方式の液晶表示装置において、立体視表示（３Ｄ表示）を行うための構成について示している。
【先行技術文献】
【特許文献】
【０００７】
【特許文献１】特開２００６−２２０６８５号公報
【特許文献２】特開２００３−２５９３９５号公報
【発明の概要】
【発明が解決しようとする課題】
【０００８】
特許文献１の構成では、表示領域を互いに異なる色の画像信号が供給される複数の領域に分割して、フィールドシーケンシャル方式による駆動を行っている。そして表示領域の複数の領域に対応するバックライトユニットも複数の領域に分割し、隣接する領域で異なる色によるバックライトユニットの発光を行っている。なお、表示領域を互いに異なる色の画像信号が供給される複数の領域に分割し、且つバックライトユニットの光源も、表示領域の複数の領域に対応する複数の領域に分割してフィールドシーケンシャル方式による駆動を行う際のバックライトユニットの駆動を、カラースキャンバックライト駆動（またはスキャンバックライト駆動）ということにする。
【０００９】
カラースキャンバックライト駆動では赤（Ｒ）の画像信号を複数の領域に順次書き込んでいく間に、緑（Ｇ）の画像信号及び青（Ｂ）の画像信号がＲの画像信号が書き込まれた領域より書き込まれていくこととなる。
【００１０】
ここで本発明の一形態の課題について説明するため、カラースキャンバックライト駆動について、図１７及び図１８を用いて説明する。
【００１１】
図１７（Ａ）は、画像信号の書き込み及び当該画像信号が書き込まれた領域に対応する光源の点灯についての模式図である。図１７（Ａ）では、複数の走査線（ゲート線ともいう）が設けられる方向（走査方向）に順に走査線に選択信号を供給することで信号線（データ線ともいう）の画像信号を画素に書き込む様子、及び光源の点灯の様子を表している。図１７（Ａ）では時間の経過とともに、画像信号の書き込みと光源の点灯が行われる様子を表している。
【００１２】
図１７（Ａ）では、太線１５０１が画像信号の書き込みを表しており、平行斜線１５０２（ハッチング）で示した領域が液晶の応答期間と光源の点灯期間の和を表している。また太線１５０１に重畳して示す「Ｒ１」は赤色の画像信号が書き込まれることを表しており、平行斜線１５０２に重畳して示す「Ｒ１」は赤色の光源の点灯が行われることを表している。
【００１３】
なお、図１７（Ａ）で平行斜線１５０２に重畳した「Ｒ１」での光源の点灯は、赤色の画像信号が書き込まれた領域において、赤色の光源が一様に点灯する構成とすればよい。なお光源の点灯は、画像信号の階調に応じて光源の輝度を調整する構成としてもよく、この場合低消費電力化及びコントラストの向上に好適である。
【００１４】
図１７（Ｂ）には図１７（Ａ）で説明した画像信号の書き込みと光源の点灯の様子を用いて連続するフレーム期間でのカラースキャンバックライト駆動を表したものである。図１７（Ｂ）では一例として走査方向の、１乃至ｋ行、ｋ＋１乃至２ｋ行、２ｋ＋１乃至ｍ行（ｋは２以上の自然数、ｍは３ｋ以上の自然数）にｍ本の走査線が設けられる様子を表している。なお図１７（Ｂ）では、１乃至ｋ行の走査線の走査により画像信号が書き込まれる画素の領域を第１の領域とする。また図１７（Ｂ）では、ｋ＋１乃至２ｋ行の走査線の走査により画像信号が書き込まれる画素の領域を第２の領域とする。また図１７（Ｂ）では、２ｋ＋１乃至ｍ行の走査線の走査により画像信号が書き込まれる画素の領域を第３の領域とする。なお第１の領域乃至第３の領域では、前半の行と後半の行とで分けて説明することもあるため、それぞれ２段に分けて示している。
【００１５】
図１７（Ｂ）に示す第１の領域には、第１の領域でカラー表示を行うための第１のＲの画像信号Ｒ１が書き込まれてＲ１の点灯がなされ、第１のＧの画像信号Ｇ１が書き込まれてＧ１の点灯がなされ、第１のＢの画像信号Ｂ１が書き込まれてＢ１の点灯がなされることとなる。第１の領域では、第１の画像信号Ｒ１、Ｇ１及びＢ１の画像信号及び当該画像信号に応じた光源の点灯による加法混色によりカラー表示を行うことができる。なお図１７（Ｂ）に示す光源の点灯を表す平行斜線は、点灯する光源の色毎に異なるハッチングパターンで示している。
【００１６】
第２の領域では第１の領域でのＲ１の画像信号の書き込みが完了した後に、第２の領域でカラー表示を行うための第２のＲの画像信号Ｒ２が書き込まれてＲ２の点灯がなされ、第２のＧの画像信号Ｇ２が書き込まれてＧ２の点灯がなされ、第２のＢの画像信号Ｂ２が書き込まれてＢ２の点灯がなされることとなる。同様に第３の領域では、第２の領域でのＲ２の画像信号の書き込みが完了した後に、第３の領域でカラー表示を行うための第３のＲの画像信号Ｒ３が書き込まれてＲ３の点灯がなされ、第３のＧの画像信号Ｇ３が書き込まれてＧ３の点灯がなされ、第３のＢの画像信号Ｂ３が書き込まれてＢ３の点灯がなされることとなる。
【００１７】
以上の第１の領域乃至第３の領域での加法混色によるカラー表示を行う期間は、表示領域での一枚の画像を表示するフレーム期間となる。そのため、第１の領域への第１のＲの画像信号Ｒ１が書き込まれてから、第３の領域でのＢ３の光源の点灯が行われるまでがフレーム期間となり、当該フレーム期間を第１のフレーム期間Ｆ＿１とする。
【００１８】
第１のフレーム期間Ｆ＿１と同様にして、第１の領域には、第１の領域でカラー表示を行うための第４のＲの画像信号Ｒ４が書き込まれてＲ４の点灯がなされ、第４のＧの画像信号Ｇ４が書き込まれてＧ４の点灯がなされ、第４のＢの画像信号Ｂ４が書き込まれてＢ４の点灯がなされることとなる。そして第２の領域及び第３の領域でも同様に、画像信号の書き込み及び光源の点灯が行われ、第１の領域乃至第３の領域での画像信号の書き込み及び光源の点灯は、第１の領域への第４のＲの画像信号Ｒ４が書き込まれてから、第３の領域でのＢ６の光源の点灯が行われるまでがフレーム期間となり、当該フレーム期間を第２のフレーム期間Ｆ＿２とする（一部図示せず）。
【００１９】
図１７（Ｂ）に示す第１のフレーム期間Ｆ＿１と第２のフレーム期間Ｆ＿２とにより、一枚の画像を表示する上で重畳する期間Ｔｏｖが生じる。当該重畳する期間Ｔｏｖは、連続するフレーム間のクロストークの原因になる。特に特許文献２にあるようにフレームシーケンシャル方式による立体視表示を行う場合のシャッター手段を有する眼鏡で視認する際、左右の画像のクロストークが生じてしまい、左右の画像の分離が困難となってしまう。
【００２０】
また図１８（Ａ）乃至（Ｃ）では、カラースキャンバックライト駆動について図１７（Ａ）及び（Ｂ）とは異なる模式図により説明する。
【００２１】
図１８（Ａ）は、画像信号の書き込み及び当該画像信号が書き込まれた領域に対応する光源の点灯についての図１７（Ａ）とは異なる模式図である。図１８（Ａ）では、斜辺１６０１が走査方向に順に行われる走査線による画像信号の書き込みを表しており、枠内に示す「Ｒ１」は前述の画像信号が赤色の画像信号であることを表している。また図１８（Ａ）では、走査線による画像信号の書き込みに続いて、前述の枠内に示す画像信号「Ｒ１」に応じた光源の点灯が行われることを表している。
【００２２】
図１８（Ｂ）には図１８（Ａ）で説明した画像信号の書き込みと光源の点灯の様子を用いて連続するフレーム期間でのカラースキャンバックライト駆動を表したものであり、図１７（Ｂ）と同じ駆動について表したものである。
【００２３】
図１７（Ｂ）と同様に図１８（Ｂ）に示す第１の領域乃至第３の領域での加法混色によるカラー表示により、第１のフレーム期間Ｆ＿１及び第２のフレーム期間Ｆ＿２が、一枚の画像を表示する上で重畳する期間Ｔｏｖを有することとなる。上述したように重畳する期間Ｔｏｖがあることで、フレームシーケンシャル方式による立体視表示を行う場合のシャッター手段を有する眼鏡で視認する際、左右の画像の分離が困難となってしまう。
【００２４】
図１８（Ｃ）では、立体視表示を行う場合のカラースキャンバックライト駆動における１フレーム期間を図１８（Ｂ）と同様に示したものである。図１８（Ｃ）が図１８（Ｂ）と異なる点は、第１のフレーム期間Ｆ＿１を左目で視認するための画像を表示する左目用サブフレーム期間ＳＦ＿Ｌとし、図１８（Ｂ）の第２のフレーム期間Ｆ＿２を、図１８（Ｃ）では右目で視認するための画像を表示する右目用サブフレーム期間ＳＦ＿Ｒとし、左目用サブフレーム期間ＳＦ＿Ｌと右目用サブフレーム期間ＳＦ＿Ｒとの間に黒画像を表示するための黒画像用サブフレーム期間Ｋを挿入して１フレーム期間Ｆ＿１とする点にある。図１８（Ｃ）の構成とすることで重畳する期間Ｔｏｖをなくし、フレームシーケンシャル方式による立体視表示を行う場合のシャッター手段を有する眼鏡で視認する際の左右の画像によるクロストークをなくすことができる。
【００２５】
しかしながら図１８（Ｃ）に示すように、間に黒画像を挿入し、且つ左右の目で視認するための画像の表示を行う構成では、ちらつき（フリッカー）のない動画表示を行うために、画像信号の書き込み速度を速くする必要がある。そのため画像信号を書き込むための十分な時間が確保できず、表示不良の原因となってしまう。
【００２６】
そこで本発明の一態様は、連続するフレーム期間において、連続するフレーム間でのクロストーク等の表示不良が低減される表示装置の駆動方法を提供することを目的とする。
【００２７】
また本発明の一態様は、左右の画像を切り替えて立体視表示を行う際に、左右の画像間でのクロストークが低減される表示装置の駆動方法を提供することを目的とする。
【課題を解決するための手段】
【００２８】
本発明の一態様は、１フレーム期間において各画素への画像信号の書き込み期間及び当該画像信号に応じた光源の点灯期間を並び替えて、画像信号に応じた光源の点灯期間を前後のフレーム期間と重畳しないようにし、画像信号の書き込み及び当該画像信号に応じた光源の点灯を行うものである。具体的には、表示領域の複数の領域に分割された各領域を前半の行と後半の行とに分割し、当該フレーム期間と前のフレーム期間が隣接する期間において、後半の行に書き込まれる画像信号を前のフレーム期間で書き込んでおき、当該フレーム期間で当該画像信号に応じた光源の点灯を行うものである。
【００２９】
本発明の一態様は、表示領域において画像を表示するためのフレーム期間は、画像信号の書き込み及び光源の点灯を行う第１乃至第３のサブフレーム期間を有し、第３のサブフレーム期間では、表示領域の前半の行の走査線による画像信号の書き込み及び画像信号に応じた光源の点灯をし、且つ表示領域の後半の行の走査線による画像信号の書き込みをし、第１のサブフレーム期間では、直前のフレーム期間における第３のサブフレーム期間で表示領域の後半の行の走査線によって書き込まれた画像信号に応じた光源の点灯をする表示装置の駆動方法である。
【００３０】
本発明の一態様は、表示領域が複数の領域に分割され、各領域におけるいずれか一の走査線を領域毎に同時に選択して表示を行い、表示領域において画像を表示するためのフレーム期間は、複数の色要素のいずれか一の画像信号の書き込み及び当該色要素に応じた光源の点灯を行う第１乃至第３のサブフレーム期間で構成され、各領域間では、第１乃至第３のサブフレーム期間毎にそれぞれ異なる色要素の光源の点灯となるように当該点灯に応じた画像信号の書き込みが行われ、フレーム期間における第３のサブフレーム期間では、各領域の前半の行の走査線による画像信号の書き込み及び画像信号に応じた光源の点灯をし、且つ各領域の後半の行の走査線による画像信号の書き込みをし、フレーム期間における第１のサブフレーム期間では、そのフレーム期間の直前のフレーム期間における第３のサブフレーム期間で各領域の後半の行の走査線によって書き込まれた画像信号に応じた光源の点灯をする表示装置の駆動方法である。
【００３１】
本発明の一態様において、第３のサブフレーム期間は、後のフレーム期間に隣接するサブフレーム期間である表示装置の駆動方法でもよい。
【００３２】
本発明の一態様は、表示領域が複数の領域に分割され、各領域におけるいずれか一の走査線を領域毎に同時に選択して表示を行い、表示領域において画像を表示するためのフレーム期間は、複数の色要素のいずれか一の画像信号の書き込み及び当該色要素に応じた光源の点灯を行う第１乃至第４のサブフレーム期間で構成され、各領域間では、第１乃至第４のサブフレーム期間毎にそれぞれ異なる色要素の光源の点灯となるように当該点灯に応じた画像信号の書き込みが行われ、フレーム期間における第３のサブフレーム期間では、各領域の前半の行の走査線による画像信号の書き込み及び画像信号に応じた光源の点灯をし、且つ各領域の後半の行の走査線による黒表示とするための画像信号の書き込みをし、フレーム期間における第４のサブフレーム期間では、各領域の前半の行の走査線による黒表示とするための画像信号の書き込み及び光源の消灯をし、且つ各領域の後半の行の走査線による画像信号の書き込みをし、フレーム期間における第１のサブフレーム期間では、直前のフレーム期間における第４のサブフレーム期間で各領域の後半の行の走査線によって書き込まれた画像信号に応じた光源の点灯をする表示装置の駆動方法である。
【００３３】
本発明の一態様において、第４のサブフレーム期間は、後のフレーム期間に隣接するサブフレーム期間である表示装置の駆動方法でもよい。
【００３４】
本発明の一態様において、第１のサブフレーム期間は、前のフレーム期間に隣接するサブフレーム期間である表示装置の駆動方法でもよい。
【００３５】
本発明の一態様において、フレーム期間における光源の点灯は、フレーム期間で表示が行われる画像を表示するための画像信号に応じた光源の点灯のみが行われる表示装置の駆動方法でもよい。
【００３６】
本発明の一態様において、光源は、赤色、緑色及び青色の光源である表示装置の駆動方法でもよい。
【発明の効果】
【００３７】
本発明の一態様により、連続するフレーム期間において、連続するフレーム間でのクロストーク等の表示不良を低減することができる。
【００３８】
また本発明の一態様により、左右の画像を切り替えて立体視表示を行う際に、左右の画像間でのクロストークを低減することができる。
【図面の簡単な説明】
【００３９】
【図１】実施の形態１の構成を説明するための図。
【図２】実施の形態１の構成を説明するための図。
【図３】実施の形態２の構成を説明するための図。
【図４】実施の形態２の構成を説明するための図。
【図５】実施の形態３の構成を説明するための図。
【図６】実施の形態３の構成を説明するための図。
【図７】実施の形態４の構成を説明するための図。
【図８】実施の形態４の構成を説明するための図。
【図９】実施の形態４の構成を説明するための図。
【図１０】実施の形態４の構成を説明するための図。
【図１１】実施の形態４の構成を説明するための図。
【図１２】実施の形態４の構成を説明するための図。
【図１３】実施の形態５の構成を説明するための図。
【図１４】実施の形態６の構成を説明するための図。
【図１５】実施の形態６の構成を説明するための図。
【図１６】実施の形態７の構成を説明するための図。
【図１７】課題を説明するための図。
【図１８】課題を説明するための図。
【図１９】実施の形態１の構成を説明するための図。
【発明を実施するための形態】
【００４０】
以下、本発明の実施の形態について図面を参照しながら説明する。但し、本発明は多くの異なる態様で実施することが可能であり、本発明の趣旨及びその範囲から逸脱することなくその形態及び詳細を様々に変更し得ることは当業者であれば容易に理解される。従って実施の形態の記載内容に限定して解釈されるものではない。なお、以下に説明する発明の構成において、同じ物を指し示す符号は異なる図面間において共通とする。
【００４１】
なお、各実施の形態の図面等において示す各構成の大きさ、層の厚さ、信号波形は、明瞭化のために誇張されて表記している場合がある。よって、必ずしもそのスケールに限定されない。
【００４２】
なお本明細書にて用いる第１、第２、第３、乃至第ｎ（ｎは自然数）という用語は、構成要素の混同を避けるために付したものであり、数的に限定するものではないことを付記する。
【００４３】
（実施の形態１）
本実施の形態では、本発明の一形態における表示装置の駆動方法について説明する。
【００４４】
図１（Ａ）は、画像信号の書き込み及び当該画像信号が書き込まれた領域に対応する光源の点灯についての模式図である。図１（Ａ）では、複数の走査線（ゲート線ともいう）が設けられる方向（走査方向）に順に走査線に選択信号を供給することで信号線（データ線ともいう）の画像信号を画素に書き込む様子、及び光源の点灯の様子を表している。図１（Ａ）では時間の経過とともに、１乃至ｔ行目（ｔはｋより小さい自然数）の画素及びｔ＋１行目乃至ｋ行目の画素への画像信号の書き込みと光源の点灯が行われる様子を表している。
【００４５】
また本実施の形態では光源をＲ（赤）Ｇ（緑）Ｂ（青）の３色として説明するが、他の種類の色を組み合わせてもよい。例えばＲＧＢの３色に加え、黄色、マゼンタ色、またはシアン色の発光ダイオード等を用いてもよい。またＲＧＢの３色に加え、白色の発光ダイオードを組み合わせることも可能である。
【００４６】
なお本実施の形態では、走査線に選択信号、例えばハイレベルの電位を供給して走査線に接続された画素内のトランジスタを導通状態とし、信号線の画像信号を画素内の画素電極に供給することを、画像信号を書き込むという。
【００４７】
図１（Ａ）では、太線２０１Ａ及び太線２０１Ｂが画像信号の書き込みを表しており、平行斜線２０２Ａ及び平行斜線２０２Ｂ（ハッチング）で示した領域が液晶の応答期間と光源の点灯期間の和を表している。また太線２０１Ａに重畳して示す「Ｒ１ｆ」は１つの領域、ここでは１乃至ｋ行目の走査線に応じた領域で考えると、前半の行となる１乃至ｔ行目の走査線の信号により選択される画素に赤色の画像信号が書き込まれることを表している。また太線２０１Ｂに重畳して示す「Ｒ１ｂ」は１つの領域、ここでは１乃至ｋ行目の走査線に応じた領域で考えると、後半の行となるｔ＋１乃至ｋ行目の走査線の信号により選択される画素に赤色の画像信号が書き込まれることを表している。なお図１（Ａ）では、太線２０１Ａで示す画像信号Ｒ１ｆの書き込みと太線２０１Ｂで示す画像信号Ｒ１ｂの書き込みとが同時に行われる様子を表している。なお図１（Ａ）に示す画像信号の書き込みを行う期間及び光源の点灯を行う期間が、１フレーム期間を構成するサブフレーム期間となる。
【００４８】
また平行斜線２０２Ａに重畳して示す「Ｒ１ｆ」は１つの領域、ここでは１乃至ｋ行目の走査線に応じた領域で考えると、前半の行となる１乃至ｔ行目の走査線に対応する赤色の光源の点灯が行われることを表している。また平行斜線２０２Ｂに重畳して示す「Ｒ１ｂ」は１つの領域、ここでは１乃至ｋ行目の走査線に応じた領域で考えると、後半の行となるｔ＋１乃至ｋ行目の走査線に対応する赤色の光源の点灯が行われることを表している。なお図１（Ａ）では、平行斜線２０２Ａで示すＲ１ｆの光源の点灯と平行斜線２０２Ｂで示すＲ１ｂの光源の点灯とが同時に行われる様子を表している。
【００４９】
なお太線２０１Ａ及び太線２０１Ｂに重畳して示す「Ｒ１」及び平行斜線２０２Ａ及び平行斜線２０２Ｂに重畳して示す「Ｒ１」については、図１７（Ａ）での説明と同様である。
【００５０】
図１（Ａ）では、画像信号の「Ｒ１ｆ」に応じた赤色の光源の点灯を「Ｒ１ｆ」として示している。「Ｒ１ｆ」での光源の点灯は、赤色の光源が一様に点灯する構成とすればよい。なお光源の点灯は、画像信号の階調に応じて光源の輝度を調整する構成としてもよく、この場合低消費電力化及びコントラストの向上に好適である。
【００５１】
なお図１（Ａ）では、画像信号の書き込みと光源の点灯について別の期間となるように図示して説明したが、一部重畳させることもできる。一例として図１（Ａ）と同様の要領で表した図１９を用いて説明する。
【００５２】
図１９では太線１９０１が画像信号の書き込みを表しており、平行斜線１９０２（ハッチング）で示した領域が光源の点灯を表している。図１９は太線１９０１と平行斜線１９０２とが重畳する期間１９０３を有する点で図１（Ａ）と異なる。
【００５３】
図１９の太線１９０１で表される画像信号の書き込みは、実際には、走査線にハイレベルの電位が供給されるステップ、次いで信号線の画像信号が画素内のトランジスタを介して画素電極に供給されるステップ、次いで画素電極と対向電極との間に生じる電界に応じて液晶の配向が変化するステップ、を経て行われるものである。一連のステップにおいては、走査線での電荷の充放電、画素電極の充放電等で、一定の期間を要する。すなわち、液晶の配向が次の画像信号の書き込みによって変化するまで画素電極と対向電極との間に生じる電界に応じて液晶の配向が変化していない期間が存在する。当該期間では、光源が点灯していても問題ない。
【００５４】
従って、太線１９０１で表される画像信号の書き込みを行う期間と、平行斜線１９０２で表される光源の点灯を行う期間とが重畳していても、視認される表示が次に書き込まれる画像信号に更新された表示となることはない。そのため期間１９０３の分だけ光源の点灯期間を延ばすことができ、輝度向上を図ることができる。
【００５５】
なお平行斜線１９０２は、上述したように液晶の応答期間と光源の点灯期間の和であるが、この場合、液晶の応答期間の最小時間は期間１９０３よりも大きい。つまり、各平行斜線１９０２の液晶の応答期間の最小時間も期間１９０３より大きくなるため、この平行斜線１９０２における光源の点灯開始は、期間１９０３の後となる。このため、平行斜線１９０２で示される１乃至ｔ行目の走査線に応じた領域とｔ＋１乃至ｋ行目の走査線に応じた領域の光源の点灯期間同士は重複しないようにすると良い。
【００５６】
次いで、本実施の形態の表示装置の駆動方法について説明する。図１（Ｂ）では、図１（Ａ）で説明した画像信号の書き込み期間と、液晶の応答期間と光源の点灯期間との和の様子を用いて、連続するフレーム間の動作を表している。図１（Ｂ）では一例として走査方向の、１乃至ｋ行、ｋ＋１乃至２ｋ行、２ｋ＋１乃至ｍ行（ｍは３ｋ以上の自然数）にｍ本の走査線が設けられる様子を表している。
【００５７】
図１（Ｂ）では、１乃至ｋ行の走査線の走査により画像信号が書き込まれる画素の領域を第１の領域とする。また図１（Ｂ）では、ｋ＋１乃至２ｋ行の走査線の走査により画像信号が書き込まれる画素の領域を第２の領域とする。また図１（Ｂ）では、２ｋ＋１乃至ｍ行の走査線の走査により画像信号が書き込まれる画素の領域を第３の領域とする。なお第１の領域では前半の行となる１乃至ｔ行目と、後半の行となるｔ＋１乃至ｋ行目とで分けて説明する。また第２の領域では前半の行となるｋ＋１乃至ｋ＋ｔ行目と、後半の行となるｋ＋ｔ＋１乃至２ｋ行目とで分けて説明する。また第３の領域では前半の行となる２ｋ＋１乃至２ｋ＋ｔ行目と、後半の行となる２ｋ＋ｔ＋１乃至ｍ行目とで分けて説明する。
【００５８】
なお図１（Ｂ）では、第１のフレーム期間Ｆ＿１で第１の領域に表示を行うために書き込む画像信号をＲＧＢそれぞれで第１の画像信号Ｒ１（またはＧ１、Ｂ１）といい、第１の画像信号に応じた光源の点灯をＲ１（またはＧ１、Ｂ１）の点灯ということにする。なお図１（Ｂ）に示す第１の領域の前半の行に第１の画像信号Ｒ１（またはＧ１、Ｂ１）の書き込みを行う期間及び光源Ｒ１（またはＧ１、Ｂ１）の点灯を行う期間が、第１のサブフレーム期間ＳＦ＿１（または第２のサブフレーム期間ＳＦ＿２、第３のサブフレーム期間ＳＦ＿３）となる。
【００５９】
また図１（Ｂ）における第１のフレーム期間Ｆ＿１での第２の領域及び第３の領域において表示を行うために書き込む画像信号を、第２の画像信号Ｒ２（またはＧ２、Ｂ２）及び第３の画像信号Ｒ３（またはＧ３、Ｂ３）ということにする。
【００６０】
また図１（Ｂ）では、第２のフレーム期間Ｆ＿２で第１の領域において表示を行うために書き込む画像信号をＲＧＢそれぞれで第４の画像信号Ｒ４（またはＧ４、Ｂ４）といい、第４の画像信号に応じた光源の点灯をＲ４（またはＧ４、Ｂ４）の点灯ということにする。同様に図１（Ｂ）における第２のフレーム期間Ｆ＿２での第２の領域及び第３の領域においても、第５の画像信号Ｒ５（またはＧ５、Ｂ５）及び第６の画像信号Ｒ６（またはＧ６、Ｂ６）ということにする。なお特に、各領域における前半の行または後半の行での画像信号及び光源の点灯を分けて説明する場合には、前半の行では第１の画像信号Ｂ１ｆのように「ｆ」を付して説明し、後半の行では第１の画像信号Ｂ１ｂのように「ｂ」を付して説明することとする。また第２のフレーム期間Ｆ＿２においても、第１のフレーム期間Ｆ＿１と同様に第１のサブフレーム期間ＳＦ＿１乃至第３のサブフレーム期間ＳＦ＿３を付することができる。
【００６１】
図１（Ｂ）に示す第１のフレーム期間Ｆ＿１における第１の領域の前半の行には、第１のサブフレーム期間ＳＦ＿１でカラー表示を行うための第１のＲの画像信号Ｒ１が書き込まれてＲ１の点灯がなされる。次いで第２のサブフレーム期間ＳＦ＿２では、第１のＧの画像信号Ｇ１が書き込まれてＧ１の点灯がなされる。次いで第３のサブフレーム期間ＳＦ＿３では、第１のＢの画像信号Ｂ１ｆが書き込まれてＢ１ｆの点灯がなされる。
【００６２】
また図１（Ｂ）に示す第１のフレーム期間Ｆ＿１における第１の領域の後半の行には、第１のサブフレーム期間ＳＦ＿１でカラー表示を行うためのＢ１ｂの点灯がなされ、カラー表示を行うための第１のＲの画像信号Ｒ１が書き込まれる。次いで第２のサブフレーム期間ＳＦ＿２では、Ｒ１の点灯がなされ、第１のＧの画像信号Ｇ１が書き込まれる。次いで第３のサブフレーム期間ＳＦ＿３では、Ｇ１の点灯がなされ、第４のＢの画像信号Ｂ４ｂが書き込まれる。
【００６３】
図１（Ｂ）に示す第１のフレーム期間Ｆ＿１における第２の領域の前半の行には、第１のサブフレーム期間ＳＦ＿１でカラー表示を行うための第２のＢの画像信号Ｂ２が書き込まれてＢ２の点灯がなされる。次いで第２のサブフレーム期間ＳＦ＿２では、第２のＲの画像信号Ｒ２が書き込まれてＲ２の点灯がなされる。次いで第３のサブフレーム期間ＳＦ＿３では、第２のＧの画像信号Ｇ２ｆが書き込まれてＧ２ｆの点灯がなされる。
【００６４】
また図１（Ｂ）に示す第１のフレーム期間Ｆ＿１における第２の領域の後半の行には、第１のサブフレーム期間ＳＦ＿１でカラー表示を行うためのＧ２ｂの点灯がなされ、カラー表示を行うための第２のＢの画像信号Ｂ２が書き込まれる。次いで第２のサブフレーム期間ＳＦ＿２では、Ｂ２の点灯がなされ、第２のＲの画像信号Ｒ２が書き込まれる。次いで第３のサブフレーム期間ＳＦ＿３では、Ｒ２の点灯がなされ、第５のＧの画像信号Ｇ５ｂが書き込まれる。
【００６５】
図１（Ｂ）に示す第１のフレーム期間Ｆ＿１における第３の領域の前半の行には、第１のサブフレーム期間ＳＦ＿１でカラー表示を行うための第３のＧの画像信号Ｇ３が書き込まれてＧ３の点灯がなされる。次いで第２のサブフレーム期間ＳＦ＿２では、第３のＢの画像信号Ｂ３が書き込まれてＢ３の点灯がなされる。次いで第３のサブフレーム期間ＳＦ＿３では、第３のＲの画像信号Ｒ３ｆが書き込まれてＲ３ｆの点灯がなされる。
【００６６】
また図１（Ｂ）に示す第１のフレーム期間Ｆ＿１における第３の領域の後半の行には、第１のサブフレーム期間ＳＦ＿１でカラー表示を行うためのＲ３ｂの点灯がなされ、カラー表示を行うための第３のＧの画像信号Ｇ３が書き込まれる。次いで第２のサブフレーム期間ＳＦ＿２では、Ｇ３の点灯がなされ、第３のＢの画像信号Ｂ３が書き込まれる。次いで第３のサブフレーム期間ＳＦ＿３では、Ｂ３の点灯がなされ、第６のＲの画像信号Ｒ６ｂが書き込まれる。
【００６７】
以上説明した第１のフレーム期間Ｆ＿１における第１の領域では、第１のサブフレーム期間ＳＦ＿１乃至第３のサブフレーム期間ＳＦ＿３における第１の画像信号Ｒ１、Ｇ１及びＢ１の画像信号及び当該画像信号に応じた光源の点灯による加法混色によりカラー表示を行うことができる。第２の領域及び第３の領域でも同様に加法混色によりカラー表示を得ることができる。従って第１のフレーム期間Ｆ＿１は当該期間において１つの画像を表示することができる。
【００６８】
また図１（Ｂ）に示す第２のフレーム期間Ｆ＿２における第１の領域の前半の行には、第１のサブフレーム期間ＳＦ＿１でカラー表示を行うための第４のＲの画像信号Ｒ４が書き込まれてＲ４の点灯がなされる。次いで第２のサブフレーム期間ＳＦ＿２では、第４のＧの画像信号Ｇ４が書き込まれてＧ４の点灯がなされる。次いで第３のサブフレーム期間ＳＦ＿３では、第４のＢの画像信号Ｂ４ｆが書き込まれてＢ４ｆの点灯がなされる。
【００６９】
また図１（Ｂ）に示す第２のフレーム期間Ｆ＿２における第１の領域の後半の行には、第１のサブフレーム期間ＳＦ＿１でカラー表示を行うためのＢ４ｂの点灯がなされ、カラー表示を行うための第４のＲの画像信号Ｒ４が書き込まれる。次いで第２のサブフレーム期間ＳＦ＿２では、Ｒ４の点灯がなされ、第４のＧの画像信号Ｇ４が書き込まれる。次いで第３のサブフレーム期間ＳＦ＿３では、Ｇ４の点灯がなされ、第７のＢの画像信号Ｂ７ｂが書き込まれる。
【００７０】
図１（Ｂ）に示す第２のフレーム期間Ｆ＿２における第２の領域の前半の行には、第１のサブフレーム期間ＳＦ＿１でカラー表示を行うための第５のＢの画像信号Ｂ５が書き込まれてＢ５の点灯がなされる。次いで第２のサブフレーム期間ＳＦ＿２では、第５のＲの画像信号Ｒ５が書き込まれてＲ５の点灯がなされる。次いで第３のサブフレーム期間ＳＦ＿３では、第５のＧの画像信号Ｇ５ｆが書き込まれてＧ５ｆの点灯がなされる。
【００７１】
また図１（Ｂ）に示す第２のフレーム期間Ｆ＿２における第２の領域の後半の行には、第１のサブフレーム期間ＳＦ＿１でカラー表示を行うためのＧ５ｂの点灯がなされ、カラー表示を行うための第５のＢの画像信号Ｂ５が書き込まれる。次いで第２のサブフレーム期間ＳＦ＿２では、Ｂ５の点灯がなされ、第５のＲの画像信号Ｒ５が書き込まれる。次いで第３のサブフレーム期間ＳＦ＿３では、Ｒ５の点灯がなされ、第８のＧの画像信号Ｇ８ｂが書き込まれる。
【００７２】
図１（Ｂ）に示す第２のフレーム期間Ｆ＿２における第３の領域の前半の行には、第１のサブフレーム期間ＳＦ＿１でカラー表示を行うための第６のＧの画像信号Ｇ６が書き込まれてＧ６の点灯がなされる。次いで第２のサブフレーム期間ＳＦ＿２では、第６のＢの画像信号Ｂ６が書き込まれてＢ６の点灯がなされる。次いで第３のサブフレーム期間ＳＦ＿３では、第６のＲの画像信号Ｒ６ｆが書き込まれてＲ６ｆの点灯がなされる。
【００７３】
また図１（Ｂ）に示す第２のフレーム期間Ｆ＿２における第３の領域の後半の行には、第１のサブフレーム期間ＳＦ＿１でカラー表示を行うためのＲ６ｂの点灯がなされ、カラー表示を行うための第６のＧの画像信号Ｇ６が書き込まれる。次いで第２のサブフレーム期間ＳＦ＿２では、Ｇ６の点灯がなされ、第６のＢの画像信号Ｂ６が書き込まれる。次いで第３のサブフレーム期間ＳＦ＿３では、Ｂ６の点灯がなされ、第９のＲの画像信号Ｒ９ｂが書き込まれる。
【００７４】
以上説明した第２のフレーム期間Ｆ＿２における第１の領域では、第１のサブフレーム期間ＳＦ＿１乃至第３のサブフレーム期間ＳＦ＿３における第４の画像信号Ｒ４、Ｇ４及びＢ４の画像信号及び当該画像信号に応じた光源の点灯による加法混色によりカラー表示を行うことができる。第２の領域及び第３の領域でも同様に加法混色によりカラー表示を得ることができる。従って第２のフレーム期間Ｆ＿２は当該期間において１つの画像を表示することができる。
【００７５】
以上図１（Ｂ）で説明したように本実施の形態における表示装置の駆動方法では、１フレーム期間において各画素への画像信号の書き込み期間及び当該画像信号に応じた光源の点灯期間を並び替えて、画像信号に応じた光源の点灯期間を前後のフレーム期間と重畳しないようにすることができる。すなわち、複数の領域に分割された表示領域において任意の１フレーム期間に書き込まれる画像信号は、各表示領域を前半の行と後半の行とで分割する場合、前半の行では当該フレーム期間での画像信号の書き込み及び当該画像信号に応じた光源の点灯を行う。一方で各表示領域の後半の行では、第１のサブフレーム期間ＳＦ＿１において直前のフレーム期間に先に書き込んだ画像信号に応じた光源の点灯を行い、第３のサブフレーム期間ＳＦ＿３において後のフレーム期間で光源の点灯を行うための画像信号の書き込みを行うものである。
【００７６】
具体的に図１（Ｂ）で示した構成で言えば、第２のフレーム期間Ｆ＿２を任意の１フレーム期間として説明し第１の領域となる１乃至ｋ行目に着目して考える。この場合、１乃至ｔ行目が前半の行に相当し、ｔ＋１乃至ｋ行目が後半の行に相当する。前半の行で第２のフレーム期間Ｆ＿２での画像信号の書き込み及び当該画像信号に応じた光源の点灯が順次行われる。後半の行で第１のサブフレーム期間ＳＦ＿１では、直前のフレーム期間である第１のフレーム期間Ｆ＿１で書き込まれた第４のＢの画像信号Ｂ４ｂに応じてＢ４ｂの光源の点灯がなされる。また後半の行で第３のサブフレーム期間では、後のフレーム期間である第３のフレーム期間Ｆ＿３（図示せず）の第７のＢの画像信号Ｂ７ｂが書き込まれることとなる。なお図１（Ｂ）では第２の領域となるｋ＋１乃至２ｋ行目及び第３の領域となる２ｋ＋１乃至ｍ行目においても、後半の行において前のフレーム期間で書き込まれた画像信号に対応する点灯と、後のフレーム期間用の画像信号の書き込みを行うこととなる。
【００７７】
以上の表示装置の駆動方法により、連続する各フレーム期間において各画素への画像信号の書き込み期間及び当該画像信号に応じた光源の点灯期間を並び替えて、画像信号に応じた光源の点灯期間を前後のフレーム期間と重畳しないようにすることができる。
【００７８】
従って本実施の形態の表示装置の駆動方法により、第１のフレーム期間Ｆ＿１及び第２のフレーム期間Ｆ＿２が、重畳する期間を減らすことができる。重畳する期間を減らすことで、連続するフレーム間でのクロストークを低減することができる。
【００７９】
なお図１（Ｂ）の説明は、第１のフレーム期間Ｆ＿１または第２のフレーム期間Ｆ＿２における第１の領域乃至第３の領域での、ＲＧＢの画像信号の書き込み、及びＲＧＢの光源の点灯の順序について一例を示したものであるが、ＲＧＢの順番については特に限定されない。すなわち、本実施の形態の構成では、１フレーム期間においてＲＧＢの画像信号の書き込みに基づいた光源の点灯がなされる構成であればよい。
【００８０】
また図２（Ａ）及び（Ｂ）では、図１（Ａ）、（Ｂ）で説明した本実施の形態による表示装置の駆動方法について異なる模式図により説明する。
【００８１】
図２（Ａ）は、画像信号の書き込み及び当該画像信号が書き込まれた領域に対応する液晶の応答期間と光源の点灯期間の和についての図１（Ａ）とは異なる模式図である。図２（Ａ）では、斜辺２１１が走査方向に順に行われる走査線による画像信号の書き込みを表しており、枠内に示す「Ｂ１ｆ」は図１（Ａ）で説明した各領域における前半の行に書き込まれる画像信号が「Ｂ１」の画像信号であることを表している。また前述の枠内に示す「Ｂ１ｆ」は前半の行に書き込まれた画像信号に応じて液晶の応答期間後に光源の点灯が行われることを表している。また枠内に示す「Ｂ４ｂ」は図１（Ａ）で説明した各領域における後半の行に書き込まれる画像信号が「Ｂ４」の画像信号であることを表している。また前述の枠内に示す「Ｂ４ｂ」は後半の行に書き込まれた画像信号に応じて液晶の応答期間後に光源の点灯が行われることを表している。
【００８２】
図２（Ｂ）には図２（Ａ）で説明した画像信号の書き込みと、液晶の応答期間と光源の点灯期間との和の様子を用いて、連続するフレーム間の動作を表したものである。また、図２（Ｂ）は図１（Ｂ）と同じ駆動について表したものである。
【００８３】
図１（Ｂ）と同様に図２（Ｂ）に示す第１のフレーム期間Ｆ＿１及び第２のフレーム期間Ｆ＿２は、第１の領域乃至第３の領域での加法混色によるカラー表示を第１のフレーム期間Ｆ＿１及び第２のフレーム期間Ｆ＿２とで重畳することなく行うことができる。
【００８４】
以上、本実施の形態の構成では、フィールドシーケンシャル方式の駆動によって異なる色の光源を順次点灯することでカラー表示を行う表示装置について説明をしたが、画像信号の書き込みと当該書き込みに応じた表示期間を具備する表示装置であれば他の構成にも適用可能である。例えば、カラーフィルタ及び白色光源を有する表示装置においても同様の構成を採用することができる。この場合、本実施の形態における１つの領域のＲＧＢのいずれかの画像信号の書き込みを行う構成を、１画面での画像信号を書き込む構成に対応させることで実現することが可能である。
【００８５】
本実施の形態は、他の実施の形態に記載した構成と適宜組み合わせて実施することが可能である。
【００８６】
（実施の形態２）
本実施の形態では、上記実施の形態１で説明した構成においてフレーム間で黒画像を挿入する液晶表示装置の駆動方法について説明する。
【００８７】
図３（Ａ）は、画像信号の書き込み及び当該画像信号が書き込まれた領域に対応する液晶の応答期間と光源の点灯期間との和についての模式図である。図３（Ａ）では、複数の走査線（ゲート線ともいう）が設けられる方向（走査方向）に順に、１乃至ｔ行目の走査線に選択信号を供給することで信号線（データ線ともいう）の黒画像とするための画像信号を画素に書き込む様子、及び光源の消灯期間の様子を表している。
【００８８】
図３（Ａ）では、太線２２１が黒画像とするための画像信号の書き込みを表しており、平行斜線２２２で示した領域が液晶の応答期間と光源の消灯期間との和を表している。また太線２２１に重畳して示す「Ｋ」は１乃至ｔ行目の走査線の信号により選択される画素に黒画像とするための画像信号が書き込まれることを表している。なお他の画像信号が書き込まれる際の表記については、実施の形態１で説明した図１（Ａ）の通りである。
【００８９】
また平行斜線２２２に重畳して示す「Ｋ」は、光源の消灯期間を表している。なお光源の消灯は、光源の消灯の直前に黒表示をするための画像信号が書き込まれている場合、光源を消灯しなくても黒表示を行うことができるため、必ずしも行う必要はない。通常の動作に従った任意の色の光源の点灯及び消灯を繰り返しても良い。なお他の光源の点灯が行われる際の表記については、実施の形態１で説明した図１（Ａ）の通りである。なお図３（Ａ）に示す画像信号の書き込みを行う期間と、光源の点灯または消灯を行う期間とが、１フレーム期間を構成するサブフレーム期間となる。
【００９０】
図３（Ｂ）には図３（Ａ）で説明した黒画像とするための画像信号の書き込みと光源の消灯の様子を用いて連続するフレーム間の動作を表し、本実施の形態の表示装置の駆動方法を表したものである。図３（Ｂ）では一例として走査方向の、１乃至ｋ行、ｋ＋１乃至２ｋ行、２ｋ＋１乃至ｍ行（ｍは３ｋ以上の自然数）にｍ本の走査線が設けられる様子を表している。なお図３（Ｂ）での説明は図１（Ｂ）と重複するため、本実施の形態では図１（Ｂ）と異なる点について説明する。なお図３（Ｂ）に示す第１の領域の前半の行に第１の画像信号Ｒ１（またはＧ１、Ｂ１ｆ、Ｋ）の書き込みを行う期間及び光源Ｒ１（またはＧ１、Ｂ１ｆ、Ｋ）の点灯を行う期間が、第１のサブフレーム期間ＳＦ＿１（または第２のサブフレーム期間ＳＦ＿２、第３のサブフレーム期間ＳＦ＿３、第４のサブフレーム期間ＳＦ＿４）となる。また第２のフレーム期間Ｆ＿２においても、第１のフレーム期間Ｆ＿１と同様に第１のサブフレーム期間ＳＦ＿１乃至第４のサブフレーム期間ＳＦ＿４を付することができる。
【００９１】
図３（Ｂ）に示す第１のフレーム期間Ｆ＿１における第１の領域の前半の行には、第１のサブフレーム期間ＳＦ＿１で第１の領域でカラー表示を行うための第１のＲの画像信号Ｒ１が書き込まれてＲ１の点灯がなされる。次いで第２のサブフレーム期間ＳＦ＿２では、第１のＧの画像信号Ｇ１が書き込まれてＧ１の点灯がなされる。次いで第３のサブフレーム期間ＳＦ＿３では、第１のＢの画像信号Ｂ１ｆが書き込まれてＢ１ｆの点灯がなされる。次いで第４のサブフレーム期間ＳＦ＿４では、黒画像とするための画像信号が書き込まれて光源の消灯がなされる。
【００９２】
また図３（Ｂ）に示す第１のフレーム期間Ｆ＿１における第１の領域の後半の行には、第１のサブフレーム期間ＳＦ＿１で第１の領域でカラー表示を行うためのＢ１ｂの点灯がなされ、第１の領域でカラー表示を行うための第１のＲの画像信号Ｒ１が書き込まれる。次いで第２のサブフレーム期間ＳＦ＿２では、Ｒ１の点灯がなされ、第１のＧの画像信号Ｇ１が書き込まれる。次いで第３のサブフレーム期間ＳＦ＿３では、Ｇ１の点灯がなされ、黒画像とするための画像信号が書き込まれる。次いで第４のサブフレーム期間ＳＦ＿４で光源の消灯がなされ、第４のＢの画像信号Ｂ４ｂが書き込まれる。
【００９３】
図３（Ｂ）に示す第１のフレーム期間Ｆ＿１における第２の領域の前半の行には、第１のサブフレーム期間ＳＦ＿１で第２の領域でカラー表示を行うための第２のＢの画像信号Ｂ２が書き込まれてＢ２の点灯がなされる。次いで第２のサブフレーム期間ＳＦ＿２では、第２のＲの画像信号Ｒ２が書き込まれてＲ２の点灯がなされる。次いで第３のサブフレーム期間ＳＦ＿３では、第２のＧの画像信号Ｇ２ｆが書き込まれてＧ２ｆの点灯がなされる。次いで第４のサブフレーム期間ＳＦ＿４では、黒画像とするための画像信号が書き込まれて光源の消灯がなされる。
【００９４】
また図３（Ｂ）に示す第１のフレーム期間Ｆ＿１における第２の領域の後半の行には、第１のサブフレーム期間ＳＦ＿１で第２の領域でカラー表示を行うためのＧ２ｂの点灯がなされ、第２の領域でカラー表示を行うための第２のＢの画像信号Ｂ２が書き込まれる。次いで第２のサブフレーム期間ＳＦ＿２では、Ｂ２の点灯がなされ、第２のＲの画像信号Ｒ２が書き込まれる。次いで第３のサブフレーム期間ＳＦ＿３では、Ｒ２の点灯がなされ、黒画像とするための画像信号が書き込まれる。次いで第４のサブフレーム期間ＳＦ＿４では、光源の消灯がなされ、第５のＧの画像信号Ｇ５ｂが書き込まれる。
【００９５】
図３（Ｂ）に示す第１のフレーム期間Ｆ＿１における第３の領域の前半の行には、第１のサブフレーム期間ＳＦ＿１で第３の領域でカラー表示を行うための第３のＧの画像信号Ｇ３が書き込まれてＧ３の点灯がなされる。次いで第２のサブフレーム期間ＳＦ＿２では、第３のＢの画像信号Ｂ３が書き込まれてＢ３の点灯がなされる。次いで第３のサブフレーム期間ＳＦ＿３で第３のＲの画像信号Ｒ３ｆが書き込まれてＲ３ｆの点灯がなされる。次いで第４のサブフレーム期間ＳＦ＿４では、黒画像とするための画像信号が書き込まれて光源の消灯がなされることとなる。
【００９６】
また図３（Ｂ）に示す第１のフレーム期間Ｆ＿１における第３の領域の後半の行には、第１のサブフレーム期間ＳＦ＿１で第３の領域でカラー表示を行うためのＲ３ｂの点灯がなされ、第３の領域でカラー表示を行うための第３のＧの画像信号Ｇ３が書き込まれる。次いで第２のサブフレーム期間ＳＦ＿２では、Ｇ３の点灯がなされ、第３のＢの画像信号Ｂ３が書き込まれる。次いで第３のサブフレーム期間ＳＦ＿３では、Ｂ３の点灯がなされ、黒画像とするための画像信号が書き込まれる。次いで第４のサブフレーム期間ＳＦ＿４では、光源の消灯がなされ、第６のＲの画像信号Ｒ６ｂが書き込まれる。
【００９７】
以上説明した第１のフレーム期間Ｆ＿１における第１の領域では、第１のサブフレーム期間ＳＦ＿１乃至第４のサブフレーム期間ＳＦ＿４における第１の画像信号Ｒ１、Ｇ１及びＢ１の画像信号及び当該画像信号に応じた光源の点灯による加法混色によりカラー表示を行うことができる。第２の領域及び第３の領域でも同様に加法混色によりカラー表示を得ることができる。従って第１のフレーム期間Ｆ＿１は当該期間において１つの画像を表示することができる。また次のフレーム期間である第２のフレーム期間Ｆ＿２との間には、黒表示期間が設けられ、連続するフレーム間でのクロストークをより確実に低減できるといった効果もある。
【００９８】
また図３（Ｂ）に示す第２のフレーム期間Ｆ＿２における第１の領域の前半の行には、第１のサブフレーム期間ＳＦ＿１で第１の領域でカラー表示を行うための第４のＲの画像信号Ｒ４が書き込まれてＲ４の点灯がなされる。次いで第２のサブフレーム期間ＳＦ＿２では、第４のＧの画像信号Ｇ４が書き込まれてＧ４の点灯がなされる。次いで第３のサブフレーム期間ＳＦ＿３では、第４のＢの画像信号Ｂ４ｆが書き込まれてＢ４ｆの点灯がなされる。次いで第４のサブフレーム期間ＳＦ＿４では、黒画像とするための画像信号が書き込まれて光源の消灯がなされることとなる。
【００９９】
また図３（Ｂ）に示す第２のフレーム期間Ｆ＿２における第１の領域の後半の行には、第１のサブフレーム期間ＳＦ＿１で第１の領域でカラー表示を行うためのＢ４ｂの点灯がなされ、第１の領域でカラー表示を行うための第４のＲの画像信号Ｒ４が書き込まれる。次いで第２のサブフレーム期間ＳＦ＿２では、Ｒ４の点灯がなされ、第４のＧの画像信号Ｇ４が書き込まれる。次いで第３のサブフレーム期間ＳＦ＿３では、Ｇ４の点灯がなされ、黒画像とするための画像信号が書き込まれる。次いで第４のサブフレーム期間ＳＦ＿４では、光源の消灯がなされ、第７のＢの画像信号Ｂ７ｂが書き込まれる。
【０１００】
図３（Ｂ）に示す第２のフレーム期間Ｆ＿２における第２の領域の前半の行には、第１のサブフレーム期間ＳＦ＿１で第２の領域でカラー表示を行うための第５のＢの画像信号Ｂ５が書き込まれてＢ５の点灯がなされる。次いで第２のサブフレーム期間ＳＦ＿２では、第５のＲの画像信号Ｒ５が書き込まれてＲ５の点灯がなされる。次いで第３のサブフレーム期間ＳＦ＿３では、第５のＧの画像信号Ｇ５ｆが書き込まれてＧ５ｆの点灯がなされる。次いで第４のサブフレーム期間ＳＦ＿４では、黒画像とするための画像信号が書き込まれて光源の消灯がなされる。
【０１０１】
また図３（Ｂ）に示す第２のフレーム期間Ｆ＿２における第２の領域の後半の行には、第１のサブフレーム期間ＳＦ＿１で第２の領域でカラー表示を行うためのＧ５ｂの点灯がなされ、第２の領域でカラー表示を行うための第５のＢの画像信号Ｂ５が書き込まれる。次いで第２のサブフレーム期間ＳＦ＿２では、Ｂ５の点灯がなされ、第５のＲの画像信号Ｒ５が書き込まれる。次いで第３のサブフレーム期間ＳＦ＿３では、Ｒ５の点灯がなされ、黒画像とするための画像信号が書き込まれる。次いで第４のサブフレーム期間ＳＦ＿４では、光源の消灯がなされ、第８のＧの画像信号Ｇ８ｂが書き込まれる。
【０１０２】
図３（Ｂ）に示す第２のフレーム期間Ｆ＿２における第３の領域の前半の行には、第１のサブフレーム期間ＳＦ＿１で第３の領域でカラー表示を行うための第６のＧの画像信号Ｇ６が書き込まれてＧ６の点灯がなされる。次いで第２のサブフレーム期間ＳＦ＿２では、第６のＢの画像信号Ｂ６が書き込まれてＢ６の点灯がなされる。次いで第３のサブフレーム期間ＳＦ＿３では、第６のＲの画像信号Ｒ６ｆが書き込まれてＲ６ｆの点灯がなされる。次いで第４のサブフレーム期間ＳＦ＿４では、黒画像とするための画像信号が書き込まれて光源の消灯がなされる。
【０１０３】
また図３（Ｂ）に示す第２のフレーム期間Ｆ＿２における第３の領域の後半の行には、第１のサブフレーム期間ＳＦ＿１で第３の領域でカラー表示を行うためのＲ６ｂの点灯がなされ、第３の領域でカラー表示を行うための第６のＧの画像信号Ｇ６が書き込まれる。次いで第２のサブフレーム期間ＳＦ＿２では、Ｇ６の点灯がなされ、第６のＢの画像信号Ｂ６が書き込まれる。次いで第３のサブフレーム期間ＳＦ＿３では、Ｂ６の点灯がなされ、黒画像とするための画像信号が書き込まれる。次いで第４のサブフレーム期間ＳＦ＿４では、光源の消灯がなされ、第９のＲの画像信号Ｒ９ｂが書き込まれる。
【０１０４】
以上説明した第２のフレーム期間Ｆ＿２における第１の領域では、第１のサブフレーム期間ＳＦ＿１乃至第４のサブフレーム期間ＳＦ＿４における第４の画像信号Ｒ４、Ｇ４及びＢ４の画像信号及び当該画像信号に応じた光源の点灯による加法混色によりカラー表示を行うことができる。第２の領域及び第３の領域でも同様に加法混色によりカラー表示を得ることができる。従って第２のフレーム期間Ｆ＿２は当該期間において１つの画像を表示することができる。また前の期間である第１のフレーム期間Ｆ＿１及び次のフレーム期間である第３のフレーム期間Ｆ＿３（図示せず）との間には、黒表示期間が設けられ、連続するフレーム間のクロストークをより確実に低減できるといった効果もある。
【０１０５】
以上図３（Ｂ）で説明したように本実施の形態における表示装置の駆動方法では、１フレーム期間において各画素への画像信号の書き込み期間及び当該画像信号に応じた光源の点灯期間を並び替えて、画像信号に応じた光源の点灯期間を前後のフレーム期間と重畳しないようにすることができる。すなわち、複数の領域に分割された表示領域において任意の１フレーム期間に書き込まれる画像信号は、各表示領域を前半の行と後半の行とで分割する場合、前半の行では当該フレーム期間での画像信号の書き込み及び当該画像信号に応じた光源の点灯を行う。一方で各表示領域の後半の行では、第１のサブフレーム期間ＳＦ＿１において直前のフレーム期間に先に書き込んだ画像信号に応じた光源の点灯を行い、第３のサブフレーム期間ＳＦ＿３において黒画像とするための画像信号を書き込み、第４のサブフレーム期間ＳＦ＿４において後のフレーム期間で光源の点灯を行うための画像信号の書き込みを行うものである。
【０１０６】
本実施の形態の構成では、上記実施の形態１の構成の効果に加えて、フレーム期間の前後において黒表示期間を設ける構成とすることで連続するフレーム間のクロストークをより確実に低減することができる。
【０１０７】
以上の表示装置の駆動方法により、連続する各フレーム期間において各画素への画像信号の書き込み期間及び当該画像信号に応じた光源の点灯期間を並び替えて、画像信号に応じた光源の点灯期間を前後のフレーム期間と重畳しないようにすることができる。加えて、フレーム期間の前後において黒表示期間を設ける構成とすることで連続するフレーム間のクロストークをより確実に低減することができる。
【０１０８】
従って本実施の形態の表示装置の駆動方法により、第１のフレーム期間Ｆ＿１及び第２のフレーム期間Ｆ＿２が、重畳する期間を減らすことができる。重畳する期間を減らすことで、連続するフレーム間でのクロストークを低減することができる。
【０１０９】
また図４（Ａ）及び（Ｂ）では、図３（Ａ）、（Ｂ）で説明した本実施の形態による表示装置の駆動方法について異なる模式図により説明する。
【０１１０】
図４（Ａ）は、画像信号の書き込み及び当該画像信号が書き込まれた領域に対応する液晶の応答期間と光源の点灯期間との和についての図３（Ａ）とは異なる模式図である。図４（Ａ）では、斜辺２３１が走査方向に順に行われる走査線による画像信号の書き込みを表している。また、枠内に示す「Ｒ１」及び「Ｋ」は、各領域における前半の行に書き込まれる画像信号が赤色の画像信号であり、後半の行に書き込まれる画像信号が黒表示とするための画像信号であることを表している。また前述の枠内に示す「Ｒ１」は、前半の行に書き込まれた画像信号に応じて赤色の光源の点灯が行われることを表している。また枠内に示す「Ｋ」は、各領域における後半の行に対応する光源を消灯することを表している。
【０１１１】
図４（Ｂ）には図４（Ａ）で説明した画像信号の書き込みと光源の点灯の様子を用いて連続するフレーム間の動作を表している。図４（Ｂ）は、本実施の形態の表示装置の駆動方法を表したものであり、図３（Ｂ）と同じ駆動について表したものである。
【０１１２】
図３（Ｂ）と同様に図４（Ｂ）に示す第１のフレーム期間Ｆ＿１及び第２のフレーム期間Ｆ＿２は、第１の領域乃至第３の領域での加法混色によるカラー表示を第１のフレーム期間Ｆ＿１及び第２のフレーム期間Ｆ＿２とで重畳することなく行うことができる。またフレーム期間の前後において黒表示期間を設ける構成とすることで連続するフレーム間のクロストークをより確実に低減することができる。
【０１１３】
本実施の形態は、他の実施の形態に記載した構成と適宜組み合わせて実施することが可能である。
【０１１４】
（実施の形態３）
本実施の形態では、上記実施の形態１及び実施の形態２で述べた表示装置の駆動方法を用いて立体視表示を視認するための構成について説明する。
【０１１５】
図５に示すように、上記実施の形態１及び実施の形態２で述べた表示装置の駆動方法を行う表示装置の表示部２４１を、左目シャッター２４２Ａと右目シャッター２４２Ｂとを有する眼鏡２４３を用いることで、左目２４４Ａと右目２４４Ｂとで別の画像を視認させることができる。
【０１１６】
すなわち図５に図示するように、Ｎフレーム（Ｎは自然数）では、左目シャッター２４２Ａによって左目２４４Ａに入射される表示部からの光を透過とし、右目シャッター２４２Ｂによって右目２４４Ｂに入射される表示部からの光を非透過とする。また（Ｎ＋１）フレームでは、左目シャッター２４２Ａによって左目２４４Ａに入射される表示部からの光を非透過とし、右目シャッター２４２Ｂによって右目２４４Ｂに入射される表示部からの光を透過とする。そしてフレームシーケンシャル方式による両眼視差により立体を認識させるものである。
【０１１７】
また上記実施の形態１で述べた表示装置の駆動方法を行う表示装置では、図６（Ａ）に示すように、左目シャッター及び右目シャッターの透過または非透過を切り替えて行う。図６（Ａ）では、図２（Ｂ）における第１のフレーム期間Ｆ＿１を第１の左目用サブフレーム期間Ｆ＿１Ｌとし、第２のフレーム期間Ｆ＿２を第１の右目用サブフレーム期間Ｆ＿１Ｒとし、第３のフレーム期間Ｆ＿３（図示せず）を第２の左目用サブフレーム期間Ｆ＿２Ｌとしている。
【０１１８】
同様にして、上記実施の形態２で述べた表示装置の駆動方法を行う表示装置では、図６（Ｂ）に示すように、左目シャッター及び右目シャッターの透過または非透過を切り替えて行う。図６（Ｂ）では、図４（Ｂ）における第１のフレーム期間Ｆ＿１を第１の左目用サブフレーム期間Ｆ＿１Ｌとし、第２のフレーム期間Ｆ＿２を第１の右目用サブフレーム期間Ｆ＿１Ｒとし、第３のフレーム期間Ｆ＿３を第２の左目用サブフレーム期間Ｆ＿２Ｌとしている。
【０１１９】
以上説明したように本実施の形態の構成により、左右の画像を切り替えて立体視表示を行う際のサブフレーム期間において、左右の画像を表示するサブフレーム期間の間でのクロストークを低減することができる。
【０１２０】
本実施の形態は、他の実施の形態に記載した構成と適宜組み合わせて実施することが可能である。
【０１２１】
（実施の形態４）
本実施の形態では、実施の形態１乃至３で説明した表示装置の一例として、表示素子に液晶素子を有する液晶表示装置を挙げて、図７乃至図１２を参照して説明する。なお表示素子は光の透過または非透過を制御する素子であればよく、液晶素子の他にも例えばＭＥＭＳ（Ｍｉｃｒｏ  Ｅｌｅｃｔｒｏ  Ｍｅｃｈａｎｉｃａｌ  Ｓｙｓｔｅｍ）素子を用いてもよい。
【０１２２】
＜液晶表示装置の構成例＞
図７（Ａ）は、液晶表示装置の構成例を示す図である。図７（Ａ）に示す液晶表示装置は、画素部１０と、走査線駆動回路１１と、信号線駆動回路１２と、ｍ本の走査線１３と、ｎ本の信号線１４と、を有する。さらに、画素部１０は、３つの領域（領域１０１〜領域１０３）に分割され、領域毎にマトリクス状に配設された複数の画素を有する。なお、各走査線１３は、画素部１０においてｍ行ｎ列に配設された複数の画素のうち、いずれかの行に配設されたｎ個の画素に接続される。また、各信号線１４は、ｍ行ｎ列に配設された複数の画素のうち、いずれかの列に配設されたｍ個の画素に接続される。
【０１２３】
図７（Ｂ）は、図７（Ａ）に示す液晶表示装置が有する画素１５の回路図の一例を示す図である。図７（Ｂ）に示す画素１５は、ゲートが走査線１３に接続され、ソース及びドレインの一方が信号線１４に接続されたトランジスタ１６と、一方の電極がトランジスタ１６のソース及びドレインの他方に接続され、他方の電極が容量電位を供給する配線（容量配線ともいう）に接続された容量素子１７と、一方の電極（画素電極ともいう）がトランジスタ１６のソース及びドレインの他方及び容量素子１７の一方の電極に接続され、他方の電極（対向電極ともいう）が対向電位を供給する配線に接続された液晶素子１８と、を有する。なお、トランジスタ１６は、ｎチャネル型のトランジスタであるとする。また、容量電位と対向電位を同一の電位とすることが可能である。
【０１２４】
＜走査線駆動回路１１の構成例＞
図８（Ａ）は、図７（Ａ）に示す液晶表示装置が有する走査線駆動回路１１の構成例を示す図である。図８（Ａ）に示す走査線駆動回路１１は、第１の走査線駆動回路用クロック信号（ＧＣＫ１）を供給する配線乃至第４の走査線駆動回路用クロック信号（ＧＣＫ４）を供給する配線と、第１のパルス幅制御信号（ＰＷＣ１）を供給する配線乃至第６のパルス幅制御信号（ＰＷＣ６）を供給する配線と、１行目に配設された走査線１３に接続された第１のパルス出力回路２０＿１、乃至、ｍ行目に配設された走査線１３に接続された第ｍのパルス出力回路２０＿ｍと、を有する。なお、ここでは、第１のパルス出力回路２０＿１〜第ｋのパルス出力回路２０＿ｋ（ｋは、ｍ／２未満の４の倍数）が、領域１０１に配設された走査線１３に接続され、第ｋ＋１のパルス出力回路２０＿ｋ＋１〜第２ｋのパルス出力回路２０＿２ｋが、領域１０２に配設された走査線１３に接続され、第２ｋ＋１のパルス出力回路２０＿２ｋ＋１〜第ｍのパルス出力回路２０＿ｍが領域１０３に配設された走査線１３に接続されることとする。また、第１のパルス出力回路２０＿１乃至第ｍのパルス出力回路２０＿ｍは、第１のパルス出力回路２０＿１に入力される走査線駆動回路用スタートパルス（ＧＳＰ）をきっかけとしてシフト期間毎にシフトパルスを順次シフトする機能を有する。さらに、第１のパルス出力回路２０＿１乃至第ｍのパルス出力回路２０＿ｍにおいて複数のシフトパルスのシフトを並行して行うことが可能である。すなわち、第１のパルス出力回路２０＿１乃至第ｍのパルス出力回路２０＿ｍにおいてシフトパルスのシフトが行われている期間内であっても、第１のパルス出力回路２０＿１に走査線駆動回路用スタートパルス（ＧＳＰ）を入力することが可能である。
【０１２５】
図８（Ｂ）は、上記信号の具体的な波形の一例を示す図である。図８（Ｂ）に示す第１の走査線駆動回路用クロック信号（ＧＣＫ１）は、周期的にハイレベルの電位（高電源電位（Ｖｄｄ））とロウレベルの電位（低電源電位（Ｖｓｓ））を繰り返す、デューティー比が１／４の信号である。また、第２の走査線駆動回路用クロック信号（ＧＣＫ２）は、第１の走査線駆動回路用クロック信号（ＧＣＫ１）から１／４周期分位相がずれた信号であり、第３の走査線駆動回路用クロック信号（ＧＣＫ３）は、第１の走査線駆動回路用クロック信号（ＧＣＫ１）から１／２周期位相がずれた信号であり、第４の走査線駆動回路用クロック信号（ＧＣＫ４）は、第１の走査線駆動回路用クロック信号（ＧＣＫ１）から３／４周期位相がずれた信号である。第１のパルス幅制御信号（ＰＷＣ１）は、周期的にハイレベルの電位（高電源電位（Ｖｄｄ））とロウレベルの電位（低電源電位（Ｖｓｓ））を繰り返す、デューティー比が１／３の信号である。また、第２のパルス幅制御信号（ＰＷＣ２）は、第１のパルス幅制御信号（ＰＷＣ１）から１／６周期位相がずれた信号であり、第３のパルス幅制御信号（ＰＷＣ３）は、第１のパルス幅制御信号（ＰＷＣ１）から１／３周期位相がずれた信号であり、第４のパルス幅制御信号（ＰＷＣ４）は、第１のパルス幅制御信号（ＰＷＣ１）から１／２周期位相がずれた信号であり、第５のパルス幅制御信号（ＰＷＣ５）は、第１のパルス幅制御信号（ＰＷＣ１）から２／３周期位相がずれた信号であり、第６のパルス幅制御信号（ＰＷＣ６）は、第１のパルス幅制御信号（ＰＷＣ１）から５／６周期位相がずれた信号である。なお、ここでは、第１の走査線駆動回路用クロック信号（ＧＣＫ１）乃至第４の走査線駆動回路用クロック信号（ＧＣＫ４）のパルス幅と第１のパルス幅制御信号（ＰＷＣ１）乃至第６のパルス幅制御信号（ＰＷＣ６）のパルス幅の比は、３：２とする。
【０１２６】
上述した液晶表示装置においては、第１のパルス出力回路２０＿１乃至第ｍのパルス出力回路２０＿ｍとして、同一の構成を有する回路を適用することができる。ただし、パルス出力回路が有する複数の端子の電気的な接続関係は、パルス出力回路毎に異なる。具体的な接続関係について図８（Ａ）、（Ｃ）を参照して説明する。
【０１２７】
第１のパルス出力回路２０＿１乃至第ｍのパルス出力回路２０＿ｍのそれぞれは、端子２１〜端子２７を有する。なお、端子２１〜端子２４及び端子２６は入力端子であり、端子２５及び端子２７は出力端子である。
【０１２８】
まず、端子２１について述べる。第１のパルス出力回路２０＿１の端子２１は、走査線駆動回路用スタートパルス信号（ＧＳＰ）を供給する配線に接続され、第２のパルス出力回路２０＿２〜第ｍのパルス出力回路２０＿ｍの端子２１は、前段のパルス出力回路の端子２７に接続される。
【０１２９】
次いで、端子２２について述べる。第（４ａ−３）のパルス出力回路（ａは、ｍ／４以下の自然数）の端子２２は、第１の走査線駆動回路用クロック信号（ＧＣＫ１）を供給する配線に接続され、第（４ａ−２）のパルス出力回路の端子２２は、第２の走査線駆動回路用クロック信号（ＧＣＫ２）を供給する配線に接続され、第（４ａ−１）のパルス出力回路の端子２２は、第３の走査線駆動回路用クロック信号（ＧＣＫ３）を供給する配線に接続され、第４ａのパルス出力回路の端子２２は、第４の走査線駆動回路用クロック信号（ＧＣＫ４）を供給する配線に接続される。
【０１３０】
次いで、端子２３について述べる。第（４ａ−３）のパルス出力回路の端子２３は、第２の走査線駆動回路用クロック信号（ＧＣＫ２）を供給する配線に接続され、第（４ａ−２）のパルス出力回路の端子２３は、第３の走査線駆動回路用クロック信号（ＧＣＫ３）を供給する配線に接続され、第（４ａ−１）のパルス出力回路の端子２３は、第４の走査線駆動回路用クロック信号（ＧＣＫ４）を供給する配線に接続され、第４ａのパルス出力回路の端子２３は、第１の走査線駆動回路用クロック信号（ＧＣＫ１）を供給する配線に接続される。
【０１３１】
次いで、端子２４について述べる。第（２ｂ−１）のパルス出力回路（ｂは、ｋ／２以下の自然数）の端子２４は、第１のパルス幅制御信号（ＰＷＣ１）を供給する配線に接続され、第２ｂのパルス出力回路の端子２４は、第４のパルス幅制御信号（ＰＷＣ４）を供給する配線に接続され、第（２ｃ−１）のパルス出力回路（ｃは、（ｋ／２＋１）以上ｋ以下の自然数）の端子２４は、第２のパルス幅制御信号（ＰＷＣ２）を供給する配線に接続され、第２ｃのパルス出力回路の端子２４は、第５のパルス幅制御信号（ＰＷＣ５）を供給する配線に接続され、第（２ｄ−１）のパルス出力回路（ｄは、（ｋ＋１）以上ｍ／２以下の自然数）の端子２４は、第３のパルス幅制御信号（ＰＷＣ３）を供給する配線に接続され、第２ｄのパルス出力回路の端子２４は、第６のパルス幅制御信号（ＰＷＣ６）を供給する配線に接続される。
【０１３２】
次いで、端子２５について述べる。第ｘのパルス出力回路（ｘは、ｍ以下の自然数）の端子２５は、ｘ行目に配設された走査線１３＿ｘに接続される。
【０１３３】
次いで、端子２６について述べる。第ｙのパルス出力回路（ｙは、ｍ−１以下の自然数）の端子２６は、第（ｙ＋１）のパルス出力回路の端子２７に接続され、第ｍのパルス出力回路の端子２６は、第ｍのパルス出力回路用ストップ信号（ＳＴＰ）を供給する配線に接続される。なお、第ｍのパルス出力回路用ストップ信号（ＳＴＰ）は、仮に第（ｍ＋１）のパルス出力回路が設けられていれば、当該第（ｍ＋１）のパルス出力回路の端子２７から出力される信号に相当する信号である。具体的には、これらの信号は、実際にダミー回路として第（ｍ＋１）のパルス出力回路を設けること、又は外部から当該信号を直接入力することなどによって第ｍのパルス出力回路に供給することができる。
【０１３４】
各パルス出力回路の端子２７の接続関係は既出である。そのため、ここでは前述の説明を援用することとする。
【０１３５】
＜パルス出力回路の構成例＞
図９（Ａ）は、図８（Ａ）、（Ｃ）に示すパルス出力回路の構成例を示す図である。図９（Ａ）に示すパルス出力回路は、トランジスタ３１乃至トランジスタ３９を有する。
【０１３６】
トランジスタ３１は、ソース及びドレインの一方が高電源電位（Ｖｄｄ）を供給する配線（以下、高電源電位線ともいう）に接続され、ゲートが端子２１に接続される。
【０１３７】
トランジスタ３２は、ソース及びドレインの一方が低電源電位（Ｖｓｓ）を供給する配線（以下、低電源電位線ともいう）に接続され、ソース及びドレインの他方がトランジスタ３１のソース及びドレインの他方に接続される。
【０１３８】
トランジスタ３３は、ソース及びドレインの一方が端子２２に接続され、ソース及びドレインの他方が端子２７に接続され、ゲートがトランジスタ３１のソース及びドレインの他方並びにトランジスタ３２のソース及びドレインの他方に接続される。
【０１３９】
トランジスタ３４は、ソース及びドレインの一方が低電源電位線に接続され、ソース及びドレインの他方が端子２７に接続され、ゲートがトランジスタ３２のゲートに接続される。
【０１４０】
トランジスタ３５は、ソース及びドレインの一方が低電源電位線に接続され、ソース及びドレインの他方がトランジスタ３２のゲート及びトランジスタ３４のゲートに接続され、ゲートが端子２１に接続される。
【０１４１】
トランジスタ３６は、ソース及びドレインの一方が高電源電位線に接続され、ソース及びドレインの他方がトランジスタ３２のゲート、トランジスタ３４のゲート、並びにトランジスタ３５のソース及びドレインの他方に接続され、ゲートが端子２６に接続される。なお、トランジスタ３６のソース及びドレインの一方が、低電源電位（Ｖｓｓ）よりも高電位であり且つ高電源電位（Ｖｄｄ）よりも低電位である電源電位（Ｖｃｃ）を供給する配線に接続される構成とすることもできる。
【０１４２】
トランジスタ３７は、ソース及びドレインの一方が高電源電位線に接続され、ソース及びドレインの他方がトランジスタ３２のゲート、トランジスタ３４のゲート、トランジスタ３５のソース及びドレインの他方、並びにトランジスタ３６のソース及びドレインの他方に接続され、ゲートが端子２３に接続される。なお、トランジスタ３７のソース及びドレインの一方が、電源電位（Ｖｃｃ）を供給する配線に接続される構成とすることもできる。
【０１４３】
トランジスタ３８は、ソース及びドレインの一方が端子２４に接続され、ソース及びドレインの他方が端子２５に接続され、ゲートがトランジスタ３１のソース及びドレインの他方、トランジスタ３２のソース及びドレインの他方、並びにトランジスタ３３のゲートに接続される。
【０１４４】
トランジスタ３９は、ソース及びドレインの一方が低電源電位線に接続され、ソース及びドレインの他方が端子２５に接続され、ゲートがトランジスタ３２のゲート、トランジスタ３４のゲート、トランジスタ３５のソース及びドレインの他方、トランジスタ３６のソース及びドレインの他方、並びにトランジスタ３７のソース及びドレインの他方に接続される。
【０１４５】
なお、以下においては、トランジスタ３１のソース及びドレインの他方、トランジスタ３２のソース及びドレインの他方、トランジスタ３３のゲート、並びにトランジスタ３８のゲートが接続するノードをノードＡとし、トランジスタ３２のゲート、トランジスタ３４のゲート、トランジスタ３５のソース及びドレインの他方、トランジスタ３６のソース及びドレインの他方、トランジスタ３７のソース及びドレインの他方、並びにトランジスタ３９のゲートが接続するノードをノードＢとして説明する。
【０１４６】
＜パルス出力回路の動作例＞
上述したパルス出力回路の動作例について図９（Ｂ）〜（Ｄ）を参照して説明する。なお、ここでは、第１のパルス出力回路２０＿１の端子２１に入力される走査線駆動回路用スタートパルス（ＧＳＰ）の入力タイミングを制御することで、第１のパルス出力回路２０＿１、第（ｋ＋１）のパルス出力回路２０＿ｋ＋１、及び第（２ｋ＋１）のパルス出力回路２０＿２ｋ＋１の端子２７から同一タイミングでシフトパルスを出力する場合の動作例について説明する。具体的には、図９（Ｂ）は、走査線駆動回路用スタートパルス（ＧＳＰ）が入力される際の第１のパルス出力回路２０＿１の各端子に入力される信号の電位、並びにノードＡ及びノードＢの電位を示しており、図９（Ｃ）は、第ｋのパルス出力回路２０＿ｋからハイレベルの電位が入力される際の第（ｋ＋１）のパルス出力回路２０＿ｋ＋１の各端子に入力される信号の電位、並びにノードＡ及びノードＢの電位を示しており、図９（Ｄ）は、第２ｋのパルス出力回路２０＿２ｋからハイレベルの電位が入力される際の第（２ｋ＋１）のパルス出力回路２０＿２ｋ＋１の各端子に入力される信号の電位、並びにノードＡ及びノードＢの電位を示している。なお、図９（Ｂ）〜（Ｄ）では、各端子に入力される信号を括弧書きで付記している。また、それぞれの後段に配設されるパルス出力回路（第２のパルス出力回路２０＿２、第（ｋ＋２）のパルス出力回路２０＿ｋ＋２、第（２ｋ＋２）のパルス出力回路２０＿２ｋ＋２）の端子２５から出力される信号（Ｇｏｕｔ２、Ｇｏｕｔｋ＋２、Ｇｏｕｔ２ｋ＋２）及び端子２７の出力信号（ＳＲｏｕｔ２＝第１のパルス出力回路２０＿１の端子２６の入力信号、ＳＲｏｕｔｋ＋２＝第（ｋ＋１）のパルス出力回路２０＿ｋ＋１の端子２６の入力信号、ＳＲｏｕｔ２ｋ＋２＝第（２ｋ＋１）のパルス出力回路２０＿２ｋ＋１の端子２６の入力信号）も付記している。なお、図中において、Ｇｏｕｔは、パルス出力回路の走査線に対する出力信号を表し、ＳＲｏｕｔは、当該パルス出力回路の、後段のパルス出力回路に対する出力信号を表している。
【０１４７】
まず、図９（Ｂ）を参照して、第１のパルス出力回路２０＿１に走査線駆動回路用スタートパルス（ＧＳＰ）としてハイレベルの電位が入力される場合について説明する。
【０１４８】
期間ｔ１において、端子２１にハイレベルの電位（高電源電位（Ｖｄｄ））が入力される。これにより、トランジスタ３１、３５がオン状態となる。そのため、ノードＡの電位がハイレベルの電位（高電源電位（Ｖｄｄ）からトランジスタ３１のしきい値電圧分下降した電位）に上昇し、且つノードＢの電位が低電源電位（Ｖｓｓ）に下降する。これに付随して、トランジスタ３３、３８がオン状態となり、トランジスタ３２、３４、３９がオフ状態となる。以上により、期間ｔ１において、端子２７から出力される信号は、端子２２に入力される信号となり、端子２５から出力される信号は、端子２４に入力される信号となる。ここで、期間ｔ１において、端子２２及び端子２４に入力される信号は、共にロウレベルの電位（低電源電位（Ｖｓｓ））である。そのため、期間ｔ１において、第１のパルス出力回路２０＿１は、第２のパルス出力回路２０＿２の端子２１、及び画素部において１行目に配設された走査線にロウレベルの電位（低電源電位（Ｖｓｓ））を出力する。
【０１４９】
期間ｔ２において、各端子に入力される信号は期間ｔ１から変化しない。そのため、端子２５及び端子２７から出力される信号も変化せず、共にロウレベルの電位（低電源電位（Ｖｓｓ））を出力する。
【０１５０】
期間ｔ３において、端子２４にハイレベルの電位（高電源電位（Ｖｄｄ））が入力される。なお、ノードＡの電位（トランジスタ３１のソースの電位）は、期間ｔ１においてハイレベルの電位（高電源電位（Ｖｄｄ）からトランジスタ３１のしきい値電圧分下降した電位）まで上昇している。そのため、トランジスタ３１はオフ状態となっている。この時、端子２４にハイレベルの電位（高電源電位（Ｖｄｄ））が入力されることで、トランジスタ３８のソースとゲートの容量結合によって、ノードＡの電位（トランジスタ３８のゲートの電位）がさらに上昇する（ブートストラップ動作）。また、当該ブートストラップ動作を行うことによって、端子２５から出力される信号が端子２４に入力されるハイレベルの電位（高電源電位（Ｖｄｄ））から下降することがない。そのため、期間ｔ３において、第１のパルス出力回路２０＿１は、画素部において１行目に配設された走査線にハイレベルの電位（高電源電位（Ｖｄｄ）＝選択信号）を出力する。
【０１５１】
期間ｔ４において、端子２２にハイレベルの電位（高電源電位（Ｖｄｄ））が入力される。ここで、ノードＡの電位は、ブートストラップ動作によって上昇しているため、端子２７から出力される信号が端子２２に入力されるハイレベルの電位（高電源電位（Ｖｄｄ））から下降することがない。そのため、期間ｔ４において、端子２７からは、端子２２に入力されるハイレベルの電位（高電源電位（Ｖｄｄ））が出力される。すなわち、第１のパルス出力回路２０＿１は、第２のパルス出力回路２０＿２の端子２１にハイレベルの電位（高電源電位（Ｖｄｄ）＝シフトパルス）を出力する。また、期間ｔ４において、端子２４に入力される信号はハイレベルの電位（高電源電位（Ｖｄｄ））を維持するため、第１のパルス出力回路２０＿１から画素部において１行目に配設された走査線に対して出力される信号は、ハイレベルの電位（高電源電位（Ｖｄｄ）＝選択信号）のままである。なお、期間ｔ４における当該パルス出力回路の出力信号には直接関与しないが、端子２１にロウレベルの電位（低電源電位（Ｖｓｓ））が入力されるためトランジスタ３５はオフ状態となる。
【０１５２】
期間ｔ５において、端子２４にロウレベルの電位（低電源電位（Ｖｓｓ））が入力される。ここで、トランジスタ３８はオン状態を維持する。そのため、期間ｔ５において、第１のパルス出力回路２０＿１から画素部において１行目に配設された走査線に対して出力される信号は、ロウレベルの電位（低電源電位（Ｖｓｓ））となる。
【０１５３】
期間ｔ６において、各端子に入力される信号は期間ｔ５から変化しない。そのため、端子２５及び端子２７から出力される信号も変化せず、端子２５からはロウレベルの電位（低電源電位（Ｖｓｓ））が出力され、端子２７からはハイレベルの電位（高電源電位（Ｖｄｄ）＝シフトパルス）が出力される。
【０１５４】
期間ｔ７において、端子２３にハイレベルの電位（高電源電位（Ｖｄｄ））が入力される。これにより、トランジスタ３７がオン状態となる。そのため、ノードＢの電位がハイレベルの電位（高電源電位（Ｖｄｄ）からトランジスタ３７のしきい値電圧分下降した電位）に上昇する。つまり、トランジスタ３２、３４、３９がオン状態となる。また、これに付随して、ノードＡの電位がロウレベルの電位（低電源電位（Ｖｓｓ））へと下降する。つまり、トランジスタ３３、３８がオフ状態となる。以上により、期間ｔ７において、端子２５及び端子２７から出力される信号は、共に低電源電位（Ｖｓｓ）となる。すなわち、期間ｔ７において、第１のパルス出力回路２０＿１は、第２のパルス出力回路２０＿２の端子２１、及び画素部において１行目に配設された走査線に低電源電位（Ｖｓｓ）を出力する。
【０１５５】
次いで、図９（Ｃ）を参照して、第（ｋ＋１）のパルス出力回路２０＿ｋ＋１の端子２１に第ｋのパルス出力回路２０＿ｋからシフトパルスとしてハイレベルの電位が入力される場合について説明する。
【０１５６】
期間ｔ１及び期間ｔ２において、第（ｋ＋１）のパルス出力回路２０＿ｋ＋１の動作は、上述した第１のパルス出力回路２０＿１と同様である。そのため、ここでは前述の説明を援用することとする。
【０１５７】
期間ｔ３において、各端子に入力される信号は期間ｔ２から変化しない。そのため、端子２５及び端子２７から出力される信号も変化せず、共にロウレベルの電位（低電源電位（Ｖｓｓ））を出力する。
【０１５８】
期間ｔ４において、端子２２及び端子２４にハイレベルの電位（高電源電位（Ｖｄｄ））が入力される。なお、ノードＡの電位（トランジスタ３１のソースの電位）は、期間ｔ１においてハイレベルの電位（高電源電位（Ｖｄｄ）からトランジスタ３１のしきい値電圧分下降した電位）まで上昇している。そのため、トランジスタ３１は、期間ｔ１においてオフ状態となっている。ここで、端子２２及び端子２４にハイレベルの電位（高電源電位（Ｖｄｄ））が入力されることで、トランジスタ３３のソースとゲート及びトランジスタ３８のソースとゲートの容量結合によって、ノードＡの電位（トランジスタ３３、３８のゲートの電位）がさらに上昇する（ブートストラップ動作）。また、当該ブートストラップ動作を行うことによって、端子２５及び端子２７から出力される信号が端子２２及び端子２４に入力されるハイレベルの電位（高電源電位（Ｖｄｄ））から下降することがない。そのため、期間ｔ４において、第（ｋ＋１）のパルス出力回路２０＿ｋ＋１は、画素部においてｋ＋１行目に配設された走査線及び第（ｋ＋２）のパルス出力回路２０＿ｋ＋２の端子２１にハイレベルの電位（高電源電位（Ｖｄｄ）＝選択信号、シフトパルス）を出力する。
【０１５９】
期間ｔ５において、各端子に入力される信号は期間ｔ４から変化しない。そのため、端子２５及び端子２７から出力される信号も変化せず、ハイレベルの電位（高電源電位（Ｖｄｄ）＝選択信号、シフトパルス）を出力する。
【０１６０】
期間ｔ６において、端子２４にロウレベルの電位（低電源電位（Ｖｓｓ））が入力される。ここで、トランジスタ３８はオン状態を維持する。そのため、期間ｔ６において、第（ｋ＋１）のパルス出力回路２０＿ｋ＋１から画素部においてｋ＋１行目に配設された走査線に対して出力される信号は、ロウレベルの電位（低電源電位（Ｖｓｓ））となる。
【０１６１】
期間ｔ７において、端子２３にハイレベルの電位（高電源電位（Ｖｄｄ））が入力される。これにより、トランジスタ３７がオン状態となる。そのため、ノードＢの電位がハイレベルの電位（高電源電位（Ｖｄｄ）からトランジスタ３７のしきい値電圧分下降した電位）に上昇する。つまり、トランジスタ３２、３４、３９がオン状態となる。また、これに付随して、ノードＡの電位がロウレベルの電位（低電源電位（Ｖｓｓ））へと下降する。つまり、トランジスタ３３、３８がオフ状態となる。以上により、期間ｔ７において、端子２５及び端子２７から出力される信号は、共に低電源電位（Ｖｓｓ）となる。すなわち、期間ｔ７において、第（ｋ＋１）のパルス出力回路２０＿ｋ＋１は、第（ｋ＋２）のパルス出力回路２０＿ｋ＋２の端子２１、及び画素部においてｋ＋１行目に配設された走査線に低電源電位（Ｖｓｓ）を出力する。
【０１６２】
次いで、図９（Ｄ）を参照して、第（２ｋ＋１）のパルス出力回路２０＿２ｋ＋１の端子２１に第２ｋのパルス出力回路２０＿２ｋからシフトパルスとしてハイレベルの電位が入力される場合について説明する。
【０１６３】
期間ｔ１乃至期間ｔ３において、第（２ｋ＋１）のパルス出力回路２０＿２ｋ＋１の動作は、上述した第（ｋ＋１）のパルス出力回路２０＿ｋ＋１と同様である。そのため、ここでは前述の説明を援用することとする。
【０１６４】
期間ｔ４において、端子２２にハイレベルの電位（高電源電位（Ｖｄｄ））が入力される。なお、ノードＡの電位（トランジスタ３１のソースの電位）は、期間ｔ１においてハイレベルの電位（高電源電位（Ｖｄｄ）からトランジスタ３１のしきい値電圧分下降した電位）まで上昇している。そのため、トランジスタ３１は、期間ｔ１においてオフ状態となっている。ここで、端子２２にハイレベルの電位（高電源電位（Ｖｄｄ））が入力されることで、トランジスタ３３のソースとゲートの容量結合によって、ノードＡの電位（トランジスタ３３のゲートの電位）がさらに上昇する（ブートストラップ動作）。また、当該ブートストラップ動作を行うことによって、端子２７から出力される信号が端子２２に入力されるハイレベルの電位（高電源電位（Ｖｄｄ））から下降することがない。そのため、期間ｔ４において、第（２ｋ＋１）のパルス出力回路２０＿２ｋ＋１は、第（２ｋ＋２）のパルス出力回路２０＿２ｋ＋２の端子２１にハイレベルの電位（高電源電位（Ｖｄｄ）＝シフトパルス）を出力する。なお、期間ｔ４における当該パルス出力回路の出力信号には直接関与しないが、端子２１にロウレベルの電位（低電源電位（Ｖｓｓ））が入力されるためトランジスタ３５はオフ状態となる。
【０１６５】
期間ｔ５において、端子２４にハイレベルの電位（高電源電位（Ｖｄｄ））が入力される。ここで、ノードＡの電位は、ブートストラップ動作によって上昇しているため、端子２５から出力される信号が端子２４に入力されるハイレベルの電位（高電源電位（Ｖｄｄ））から下降することがない。そのため、期間ｔ５において、端子２５からは、端子２２に入力されるハイレベルの電位（高電源電位（Ｖｄｄ））が出力される。すなわち、第（２ｋ＋１）のパルス出力回路２０＿２ｋ＋１は、画素部において２ｋ＋１行目に配設された走査線にハイレベルの電位（高電源電位（Ｖｄｄ）＝選択信号）を出力する。また、期間ｔ５において、端子２２に入力される信号はハイレベルの電位（高電源電位（Ｖｄｄ））を維持するため、第（２ｋ＋１）のパルス出力回路２０＿２ｋ＋１から第（２ｋ＋２）のパルス出力回路２０＿２ｋ＋２の端子２１に対して出力される信号は、ハイレベルの電位（高電源電位（Ｖｄｄ）＝シフトパルス）のままである。
【０１６６】
期間ｔ６において、各端子に入力される信号は期間ｔ５から変化しない。そのため、端子２５及び端子２７から出力される信号も変化せず、共にハイレベルの電位（高電源電位（Ｖｄｄ）＝選択信号、シフトパルス）を出力する。
【０１６７】
期間ｔ７において、端子２３にハイレベルの電位（高電源電位（Ｖｄｄ））が入力される。これにより、トランジスタ３７がオン状態となる。そのため、ノードＢの電位がハイレベルの電位（高電源電位（Ｖｄｄ）からトランジスタ３７のしきい値電圧分下降した電位）に上昇する。つまり、トランジスタ３２、３４、３９がオン状態となる。また、これに付随して、ノードＡの電位がロウレベルの電位（低電源電位（Ｖｓｓ））へと下降する。つまり、トランジスタ３３、３８がオフ状態となる。以上により、期間ｔ７において、端子２５及び端子２７から出力される信号は、共に低電源電位（Ｖｓｓ）となる。すなわち、期間ｔ７において、第（２ｋ＋１）のパルス出力回路２０＿２ｋ＋１は、第（２ｋ＋２）のパルス出力回路２０＿２ｋ＋２の端子２１、及び画素部において２ｋ＋１行目に配設された走査線に低電源電位（Ｖｓｓ）を出力する。
【０１６８】
図９（Ｂ）〜（Ｄ）に示すように、第１のパルス出力回路２０＿１乃至第ｍのパルス出力回路２０＿ｍでは、走査線駆動回路用スタートパルス（ＧＳＰ）の入力タイミングを制御することで、複数のシフトパルスのシフトを並行して行うことが可能である。具体的には、走査線駆動回路用スタートパルス（ＧＳＰ）の入力後、第ｋのパルス出力回路２０＿ｋの端子２７からシフトパルスが出力されるタイミングと同じタイミングで再度走査線駆動回路用スタートパルス（ＧＳＰ）を入力することによって、第１のパルス出力回路２０＿１及び第（ｋ＋１）のパルス出力回路２０＿ｋ＋１から同じタイミングでシフトパルスを出力させることが可能である。また、同様に走査線駆動回路用スタートパルス（ＧＳＰ）を入力することによって、第１のパルス出力回路２０＿１、第（ｋ＋１）のパルス出力回路２０＿ｋ＋１、及び第（２ｋ＋１）のパルス出力回路２０＿２ｋ＋１から同じタイミングでシフトパルスを出力させることが可能である。
【０１６９】
加えて、第１のパルス出力回路２０＿１、第（ｋ＋１）のパルス出力回路２０＿ｋ＋１、及び第（２ｋ＋１）のパルス出力回路２０＿２ｋ＋１は、上記の動作に並行して、それぞれ異なるタイミングで走査線に対する選択信号の供給を行うことが可能である。すなわち、上述した走査線駆動回路は、固有のシフト期間を有するシフトパルスを複数シフトし且つ同一タイミングにおいてシフトパルスが入力された複数のパルス出力回路がそれぞれ異なるタイミングで走査線に対して選択信号を供給することが可能である。
【０１７０】
＜信号線駆動回路１２の構成例＞
図１０（Ａ）は、図７（Ａ）に示す液晶表示装置が有する信号線駆動回路１２の構成例を示す図である。図１０（Ａ）に示す信号線駆動回路１２は、第１の出力端子乃至第ｎの出力端子を有するシフトレジスタ１２０と、画像信号（ＤＡＴＡ）を供給する配線と、ソース及びドレインの一方が画像信号（ＤＡＴＡ）を供給する配線に接続され、ソース及びドレインの他方が画素部において１列目に配設された信号線１４＿１に接続され、ゲートがシフトレジスタ１２０の第１の出力端子に接続されたトランジスタ１２１＿１、乃至、ソース及びドレインの一方が画像信号（ＤＡＴＡ）を供給する配線に接続され、ソース及びドレインの他方が画素部においてｎ列目に配設された信号線１４＿ｎに接続され、ゲートがシフトレジスタ１２０の第ｎの出力端子に接続されたトランジスタ１２１＿ｎと、を有する。なお、シフトレジスタ１２０は、信号線駆動回路用スタートパルス（ＳＳＰ）をきっかけとしてシフト期間毎に順次第１の出力端子乃至第ｎの出力端子からハイレベルの電位を出力する機能を有する。すなわち、トランジスタ１２１＿１乃至トランジスタ１２１＿ｎは、シフト期間毎に順次オン状態となる。
【０１７１】
図１０（Ｂ）は、画像信号（ＤＡＴＡ）を供給する配線が供給する画像信号のタイミングの一例を示す図である。図１０（Ｂ）に示すように、画像信号（ＤＡＴＡ）を供給する配線は、期間ｔ４において、１行目に配設された画素用画像信号（ｄａｔａ  １）を供給し、期間ｔ５において、ｋ＋１行目に配設された画素用画像信号（ｄａｔａ  ｋ＋１）を供給し、期間ｔ６において、２ｋ＋１行目に配設された画素用画像信号（ｄａｔａ  ２ｋ＋１）を供給し、期間ｔ７において、２行目に配設された画素用画像信号（ｄａｔａ  ２）を供給する。以下、同様に画像信号（ＤＡＴＡ）を供給する配線は、特定の行毎に配設された画素用画像信号を順次供給する。具体的には、ｓ行目（ｓは、ｋ未満の自然数）に配設された画素用画像信号→ｋ＋ｓ行目に配設された画素用画像信号→２ｋ＋ｓ行目に配設された画素用画像信号→ｓ＋１行目に配設された画素用画像信号という順序で画像信号を供給する。上述した走査線駆動回路及び信号線駆動回路が当該動作を行うことにより、走査線駆動回路が有するパルス出力回路におけるシフト期間毎に画素部に配設された３行の画素に対する画像信号の入力を行うことが可能である。
【０１７２】
＜バックライトの構成例＞
図１１は、図７（Ａ）に示す液晶表示装置の画素部１０の後方に設けられるバックライトの構成例を示す図である。図１１に示すバックライトは、赤（Ｒ）、緑（Ｇ）、青（Ｂ）の３色を呈する光源を備えたバックライトユニット４０を複数有する。なお、複数のバックライトユニット４０は、マトリクス状に配設されており、且つ特定の領域毎に点灯を制御することが可能である。ここでは、ｍ行ｎ列に配設された複数の画素１５に対するバックライトとして、少なくともｔ行ｎ列毎（ここでは、ｔは、ｋ／４とする）にバックライトユニット４０が設けられ、該バックライトユニット４０の点灯を独立に制御できることとする。すなわち、当該バックライトが、少なくとも１行目乃至ｔ行目用バックライトユニット〜２ｋ＋３ｔ＋１行目乃至ｍ行目用バックライトユニットを有し、それぞれのバックライトユニット４０の点灯を独立に制御できることとする。さらに、バックライトユニット４０において、赤（Ｒ）、緑（Ｇ）、及び青（Ｂ）の３色を呈する光源のそれぞれの点灯も独立に制御できることとする。すなわち、バックライトユニット４０において、赤（Ｒ）、緑（Ｇ）、及び青（Ｂ）のいずれか一つの光源を点灯させることで画素部１０に対して赤（Ｒ）、緑（Ｇ）、又は青（Ｂ）を呈する光を照射すること、赤（Ｒ）、緑（Ｇ）、及び青（Ｂ）のいずれか二つの光源を点灯させることで画素部１０に対して二つの光の混色によって形成される有彩色を呈する光を照射すること、並びに赤（Ｒ）、緑（Ｇ）、及び青（Ｂ）の全ての光源を点灯させることで画素部１０に対して三つの光の混色によって形成される白（Ｗ）を呈する光を照射することが可能であることとする。
【０１７３】
＜液晶表示装置の動作例＞
図１２は、上述した液晶表示装置における選択信号の走査と、バックライトが有する１行目乃至ｔ行目用バックライトユニット〜２ｋ＋３ｔ＋１行目乃至ｍ行目用バックライトユニットの点灯タイミングとを示す図である。なお、図１２において縦軸は画素部における行（１行目乃至ｍ行目）を表し、横軸は時間を表している。図１２に示すように当該液晶表示装置では、１行目に配設された走査線〜ｍ行目に配設された走査線に対して順次選択信号を供給するのではなく、ｋ行分隔離されて配設された走査線に対して順次選択信号を供給する（１行目に配設された走査線→ｋ＋１行目に配設された走査線→２ｋ＋１行目に配設された走査線→２行目に配設された走査線という順序で選択信号を供給する）ことが可能である。なお図１２では、上記実施の形態２で述べた黒表示期間を設けた際の画像信号の書き込み及び点灯のタイミングの構成について示している。従って、実施の形態２と同様に連続するフレーム間のクロストークをより確実に低減することができる。
【０１７４】
本実施の形態は、他の実施の形態に記載した構成と適宜組み合わせて実施することが可能である。
【０１７５】
（実施の形態５）
本実施の形態では、表示装置を駆動するためのブロック図の一例について説明する。
【０１７６】
図１３に示すブロック図には、画像信号処理回路９０１、表示パネル９０２、バックライトユニット９０３を図示している。
【０１７７】
画像信号処理回路９０１は、表示制御回路９０４、パネル制御回路９０５、フォーマット変換回路９０６、２Ｄ／３Ｄ画像信号変換回路９０７、メモリ制御回路９０８及びフレームメモリ９０９を有する。
【０１７８】
画像信号処理回路９０１では、外部より画像信号ｄａｔａがフォーマット変換回路９０６に供給され画像信号ｄａｔａのフォーマットに応じてフォーマットの変換が行われる。２Ｄ／３Ｄ画像信号変換回路９０７は、フォーマット変換回路９０６でフォーマット変換された画像信号を内部に格納された画像信号変換メモリ９１０に基づいて平面視表示の画像信号に変換または立体視表示の画像信号に変換するか切り替えて実行するための回路である。２Ｄ／３Ｄ画像信号変換回路９０７で変換された画像信号は、メモリ制御回路９０８を介してフレームメモリ９０９に記憶される。フレームメモリ９０９に記憶された画像信号は、メモリ制御回路９０８を介して表示制御回路９０４によって読み出される。そして表示制御回路９０４は、パネル制御回路９０５が、表示パネル９０２を制御するための信号を出力する。
【０１７９】
またバックライトユニット９０３はバックライトユニット制御回路９１１によって光源の点灯が制御される。バックライトユニット制御回路９１１は、表示制御回路９０４によって制御される。
【０１８０】
以上説明したように、本実施の形態のブロック図の構成により、上記実施の形態１及び２の表示装置の駆動方法を実現することができる。
【０１８１】
本実施の形態は、他の実施の形態に記載した構成と適宜組み合わせて実施することが可能である。
【０１８２】
（実施の形態６）
本実施の形態では、上記実施の形態４で説明した液晶表示装置の外観及び断面について説明する。
【０１８３】
液晶表示装置の外観及び断面について、図１４を用いて説明する。図１４（Ａ１）（Ａ２）は、第１の基板４００１上に形成されたトランジスタ４０１０、４０１１及び液晶素子４０１３を、第２の基板４００６との間にシール材４００５によって封止したパネルの上面図であり、図１４（Ｂ）は、図１４（Ａ１）（Ａ２）のＭ−Ｎにおける断面図に相当する。
【０１８４】
第１の基板４００１上に設けられた画素部４００２と、走査線駆動回路４００４とを囲むようにして、シール材４００５が設けられている。また、画素部４００２と、走査線駆動回路４００４の上に第２の基板４００６が設けられている。画素部４００２と、走査線駆動回路４００４とは、第１の基板４００１とシール材４００５と第２の基板４００６とによって、液晶層４００８と共に封止されている。
【０１８５】
また、図１４（Ａ１）は第１の基板４００１上のシール材４００５によって囲まれている領域とは異なる領域に、別途用意された基板上に単結晶半導体膜又は多結晶半導体膜で形成された信号線駆動回路４００３が実装されている。なお、図１４（Ａ２）は信号線駆動回路の一部を第１の基板４００１上に酸化物半導体を用いたトランジスタで形成する例であり、第１の基板４００１上に信号線駆動回路４００３ｂが形成され、かつ別途用意された基板上に単結晶半導体膜又は多結晶半導体膜で形成された信号線駆動回路４００３ａが実装されている。
【０１８６】
なお、別途形成した駆動回路の接続方法は、特に限定されるものではなく、ＣＯＧ方法、ワイヤボンディング方法、またはＴＡＢ方法などを用いることができる。図１４（Ａ１）は、ＣＯＧ方法により信号線駆動回路４００３を実装する例であり、図１４（Ａ２）は、ＴＡＢ方法により信号線駆動回路４００３を実装する例である。
【０１８７】
また、第１の基板４００１上に設けられた画素部４００２と、走査線駆動回路４００４は、トランジスタを複数有しており、図１４（Ｂ）では、画素部４００２に含まれるトランジスタ４０１０と、走査線駆動回路４００４に含まれるトランジスタ４０１１とを例示している。トランジスタ４０１０、４０１１上には絶縁層４０２０、４０２１が設けられている。
【０１８８】
トランジスタ４０１０、４０１１は、特に限定されず様々なトランジスタを適用することができる。トランジスタ４０１０、４０１１のチャネル層は、シリコン（アモルファスシリコン、微結晶シリコン又はポリシリコン）等の半導体や酸化物半導体を用いることができる。
【０１８９】
また、第１の基板４００１上に画素電極層４０３０及び共通電極層４０３１が設けられ、画素電極層４０３０は、トランジスタ４０１０と接続されている。液晶素子４０１３は、画素電極層４０３０、共通電極層４０３１、及び液晶層４００８を含む。
【０１９０】
また、ブルー相を示す液晶層４００８を有する液晶表示装置において、基板に概略平行（すなわち水平な方向）な電界を生じさせて、基板と平行な面内で液晶分子を動かして、階調を制御する方式を用いることができる。このような方式として、本実施の形態では、図１４に示すようなＩＰＳ（Ｉｎ  Ｐｌａｎｅ  Ｓｗｉｔｃｈｉｎｇ）モードで用いる電極構成を適用する場合を示している。なお、ＩＰＳモードに限られず、ＦＦＳ（Ｆｒｉｎｇｅ  Ｆｉｅｌｄ  Ｓｗｉｔｃｈｉｎｇ）モードで用いる電極構成を適用することも可能である。また液晶層４００８には、横電界により制御されるベンド配向の液晶（ＴＢＡ（Ｔｒａｎｓｖｅｒｓｅ  Ｂｅｎｄ  Ａｌｉｇｎｍｅｎｔ）とも呼ばれる）を用いる構成としてもよい。
【０１９１】
なお、第１の基板４００１、第２の基板４００６としては、透光性を有するガラス、プラスチックなどを用いることができる。プラスチックとしては、ポリエーテルサルフォン（ＰＥＳ）、ポリイミド、ＦＲＰ（Ｆｉｂｅｒｇｌａｓｓ−Ｒｅｉｎｆｏｒｃｅｄ  Ｐｌａｓｔｉｃｓ）板、ＰＶＦ（ポリビニルフルオライド）フィルム、ポリエステルフィルムまたはアクリル樹脂フィルムを用いることができる。また、アルミニウムホイルをＰＶＦフィルムやポリエステルフィルムで挟んだ構造のシートを用いることもできる。
【０１９２】
また、液晶層４００８の膜厚（セルギャップ）を制御するために設けられている柱状のスペーサ４０３５は、絶縁膜を選択的にエッチングすることにより設けることができる。なお、柱状のスペーサ４０３５の代わりに、球状のスペーサを用いてもよい。
【０１９３】
図１４においては、トランジスタ４０１０、４０１１上方を覆うように遮光層４０３４が第２の基板４００６側に設けられている。遮光層４０３４を設けることにより、トランジスタ特性の安定化の効果を高めることができる。この遮光層４０３４は第１の基板４００１に設けられてもよい。この場合、第２の基板４００６側から紫外線を照射して高分子安定化を行ったときに遮光層４０３４上の液晶もブルー相で高分子安定化することができる。
【０１９４】
保護膜として機能する絶縁層４０２０でトランジスタ４０１０、４０１１を覆う構成としてもよいが、特に限定されない。
【０１９５】
なお、保護膜は、大気中に浮遊する有機物や金属物、水蒸気などの汚染不純物の侵入を防ぐためのものであり、緻密な膜が好ましい。保護膜は、スパッタ法を用いて、酸化珪素膜、窒化珪素膜、酸化窒化珪素膜、窒化酸化珪素膜、酸化アルミニウム膜、窒化アルミニウム膜、酸化窒化アルミニウム膜、又は窒化酸化アルミニウム膜の単層、又は積層で形成すればよい。
【０１９６】
また、保護膜を形成した後に、半導体層の加熱（３００℃〜４００℃）を行ってもよい。
【０１９７】
画素電極層４０３０、共通電極層４０３１は、酸化タングステンを含むインジウム酸化物、酸化タングステンを含むインジウム亜鉛酸化物、酸化チタンを含むインジウム酸化物、酸化チタンを含むインジウム錫酸化物、インジウム錫酸化物（ＩＴＯ）、インジウム亜鉛酸化物、酸化ケイ素を添加したインジウム錫酸化物などの透光性を有する導電性材料を用いることができる。
【０１９８】
また、画素電極層４０３０、共通電極層４０３１として、導電性高分子（導電性ポリマーともいう）を含む導電性組成物を用いて形成することができる。
【０１９９】
また、別途形成された信号線駆動回路４００３と、走査線駆動回路４００４または画素部４００２に与えられる各種信号及び電位は、ＦＰＣ４０１８から供給されている。
【０２００】
また、トランジスタは静電気などにより破壊されやすいため、ゲート線またはソース線に対して、駆動回路保護用の保護回路を同一基板上に設けることが好ましい。保護回路は、酸化物半導体を用いた非線形素子を用いて構成することが好ましい。
【０２０１】
図１４では、接続端子電極４０１５が、画素電極層４０３０と同じ導電膜から形成され、端子電極４０１６は、トランジスタ４０１０、４０１１のソース電極層及びドレイン電極層と同じ導電膜で形成されている。
【０２０２】
接続端子電極４０１５は、ＦＰＣ４０１８が有する端子と、異方性導電膜４０１９を介して接続されている。
【０２０３】
また、図１４においては、信号線駆動回路４００３を別途形成し、第１の基板４００１に実装している例を示しているが、この構成に限定されない。走査線駆動回路を別途形成して実装してもよいし、信号線駆動回路の一部または走査線駆動回路の一部のみを別途形成して実装してもよい。
【０２０４】
図１５は液晶表示装置の断面構造の一例であり、素子基板２６００と対向基板２６０１がシール材２６０２により固着され、その間にトランジスタ等を含む素子層２６０３、液晶層２６０４が設けられる。
【０２０５】
上記実施の形態で説明したカラースキャンバックライト駆動を行うために、バックライトユニットの光源として複数の色を発光する発光ダイオードを配置する。複数種の発光色としては、赤の発光ダイオード２９１０Ｒ、緑の発光ダイオード２９１０Ｇ、青の発光ダイオード２９１０Ｂを配置する。
【０２０６】
対向基板２６０１の外側には偏光板２６０６が設けられ、素子基板２６００の外側には偏光板２６０７、拡散シート２６１３が配設されている。光源は赤の発光ダイオード２９１０Ｒ、緑の発光ダイオード２９１０Ｇ、青の発光ダイオード２９１０Ｂと反射板２６１１により構成され、回路基板２６１２に設けられたバックライト駆動制御回路２９１２は、フレキシブル配線基板２６０９により素子基板２６００の配線回路部２６０８と接続され、さらにコントロール回路や電源回路などの外部回路が組みこまれている。
【０２０７】
このバックライト駆動制御回路２９１２によってバックライトユニットの光源は、領域毎に異なる色の発光をするよう制御される。
【０２０８】
本実施の形態は、他の実施の形態に記載した構成と適宜組み合わせて実施することが可能である。
【０２０９】
（実施の形態７）
本明細書に開示する表示装置は、さまざまな電子機器（遊技機も含む）に適用することができる。電子機器としては、例えば、テレビジョン装置（テレビ、またはテレビジョン受信機ともいう）、コンピュータ用などのモニタ、デジタルカメラ、デジタルビデオカメラ等のカメラ、デジタルフォトフレーム、携帯電話機（携帯電話、携帯電話装置ともいう）、携帯型ゲーム機、携帯情報端末、音響再生装置、パチンコ機などの大型ゲーム機などが挙げられる。上記実施の形態で説明した表示装置を具備する電子機器の例について説明する。
【０２１０】
図１６（Ａ）は、電子書籍の一例を示している。図１６（Ａ）に示す電子書籍は、筐体１７００及び筐体１７０１の２つの筐体で構成されている。筐体１７００及び筐体１７０１は、蝶番１７０４により一体になっており、開閉動作を行うことができる。このような構成により、書籍のような動作を行うことが可能となる。
【０２１１】
筐体１７００には表示部１７０２が組み込まれ、筐体１７０１には表示部１７０３が組み込まれている。表示部１７０２及び表示部１７０３は、続き画面を表示する構成としてもよいし、異なる画面を表示する構成としてもよい。異なる画面を表示する構成とすることで、例えば右側の表示部（図１６（Ａ）では表示部１７０２）に文章を表示し、左側の表示部（図１６（Ａ）では表示部１７０３）に画像を表示することができる。
【０２１２】
また、図１６（Ａ）では、筐体１７００に操作部等を備えた例を示している。例えば、筐体１７００は、電源入力端子１７０５、操作キー１７０６、スピーカ１７０７等を備えている。操作キー１７０６により、頁を送ることができる。なお、筐体の表示部と同一面にキーボードやポインティングディバイス等を備える構成としてもよい。また、筐体の裏面や側面に、外部接続用端子（イヤホン端子、ＵＳＢ端子、及びＵＳＢケーブル等の各種ケーブルと接続可能な端子等）、記録媒体挿入部等を備える構成としてもよい。さらに、図１６（Ａ）に示す電子書籍は、電子辞書としての機能を持たせた構成としてもよい。
【０２１３】
図１６（Ｂ）は、表示装置を用いたデジタルフォトフレームの一例を示している。例えば、図１６（Ｂ）に示すデジタルフォトフレームは、筐体１７１１に表示部１７１２が組み込まれている。表示部１７１２は、各種画像を表示することが可能であり、例えば、デジタルカメラ等で撮影した画像データを表示させることで、通常の写真立てと同様に機能させることができる。
【０２１４】
なお、図１６（Ｂ）に示すデジタルフォトフレームは、操作部、外部接続用端子（ＵＳＢ端子、ＵＳＢケーブル等の各種ケーブルと接続可能な端子等）、記録媒体挿入部等を備える構成とする。これらの構成は、表示部と同一面に組み込まれていてもよいが、側面や裏面に備えるとデザイン性が向上するため好ましい。例えば、デジタルフォトフレームの記録媒体挿入部に、デジタルカメラで撮影した画像データを記憶したメモリを挿入して画像データを取り込み、取り込んだ画像データを表示部１７１２に表示させることができる。
【０２１５】
図１６（Ｃ）は、表示装置を用いたテレビジョン装置の一例を示している。図１６（Ｃ）に示すテレビジョン装置は、筐体１７２１に表示部１７２２が組み込まれている。表示部１７２２により、映像を表示することが可能である。また、ここでは、スタンド１７２３により筐体１７２１を支持した構成を示している。表示部１７２２は、上記実施の形態に示した表示装置を適用することができる。
【０２１６】
図１６（Ｃ）に示すテレビジョン装置の操作は、筐体１７２１が備える操作スイッチや、別体のリモコン操作機により行うことができる。リモコン操作機が備える操作キーにより、チャンネルや音量の操作を行うことができ、表示部１７２２に表示される映像を操作することができる。また、リモコン操作機に、当該リモコン操作機から出力する情報を表示する表示部を設ける構成としてもよい。
【０２１７】
図１６（Ｄ）は、表示装置を用いた携帯電話機の一例を示している。図１６（Ｄ）に示す携帯電話機は、筐体１７３１に組み込まれた表示部１７３２の他、操作ボタン１７３３、操作ボタン１７３７、外部接続ポート１７３４、スピーカ１７３５、及びマイク１７３６等を備えている。
【０２１８】
図１６（Ｄ）に示す携帯電話機は、表示部１７３２がタッチパネルになっており、指等の接触により、表示部１７３２の表示内容を操作することができる。また、電話の発信、或いはメールの作成等は、表示部１７３２を指等で接触することにより行うことができる。
【０２１９】
本実施の形態は、他の実施の形態に記載した構成と適宜組み合わせて実施することが可能である。
【符号の説明】
【０２２０】
１０    画素部
１１    走査線駆動回路
１２    信号線駆動回路
１３    走査線
１４    信号線
１５    画素
１６    トランジスタ
１７    容量素子
１８    液晶素子
２０    パルス出力回路
２１    端子
２２    端子
２３    端子
２４    端子
２５    端子
２６    端子
２７    端子
３１    トランジスタ
３２    トランジスタ
３３    トランジスタ
３４    トランジスタ
３５    トランジスタ
３６    トランジスタ
３７    トランジスタ
３８    トランジスタ
３９    トランジスタ
４０    バックライトユニット
１０１    領域
１０２    領域
１０３    領域
１２０    シフトレジスタ
１２１    トランジスタ
２１１    斜辺
２２１    太線
２２２    平行斜線
２３１    斜辺
２４１    表示部
２４３    眼鏡
９０１    画像信号処理回路
９０２    表示パネル
９０３    バックライトユニット
９０４    表示制御回路
９０５    パネル制御回路
９０６    フォーマット変換回路
９０７    ２Ｄ／３Ｄ画像信号変換回路
９０８    メモリ制御回路
９０９    フレームメモリ
９１０    画像信号変換メモリ
９１１    バックライトユニット制御回路
１５０１    太線
１５０２    平行斜線
１６０１    斜辺
１７００    筐体
１７０１    筐体
１７０２    表示部
１７０３    表示部
１７０４    蝶番
１７０５    電源入力端子
１７０６    操作キー
１７０７    スピーカ
１７１１    筐体
１７１２    表示部
１７２１    筐体
１７２２    表示部
１７２３    スタンド
１７３１    筐体
１７３２    表示部
１７３３    操作ボタン
１７３４    外部接続ポート
１７３５    スピーカ
１７３６    マイク
１７３７    操作ボタン
２０１Ａ    太線
２０１Ｂ    太線
２０２Ａ    平行斜線
２０２Ｂ    平行斜線
２４２Ａ    左目シャッター
２４２Ｂ    右目シャッター
２４４Ａ    左目
２４４Ｂ    右目
１９０１    太線
１９０２    平行斜線
１９０３    期間
２６００    素子基板
２６０１    対向基板
２６０２    シール材
２６０３    素子層
２６０４    液晶層
２６０６    偏光板
２６０７    偏光板
２６０８    配線回路部
２６０９    フレキシブル配線基板
２６１１    反射板
２６１２    回路基板
２６１３    拡散シート
２９１２    バックライト駆動制御回路
４００１    基板
４００２    画素部
４００３    信号線駆動回路
４００４    走査線駆動回路
４００５    シール材
４００６    基板
４００８    液晶層
４０１０    トランジスタ
４０１１    トランジスタ
４０１３    液晶素子
４０１５    接続端子電極
４０１６    端子電極
４０１８    ＦＰＣ
４０１９    異方性導電膜
４０２０    絶縁層
４０３０    画素電極層
４０３１    共通電極層
４０３４    遮光層
４０３５    スペーサ
２９１０Ｂ    発光ダイオード
２９１０Ｇ    発光ダイオード
２９１０Ｒ    発光ダイオード
４００３ａ    信号線駆動回路
４００３ｂ    信号線駆動回路
【図１】
0005845067.tif 000002
【図２】
0005845067.tif 000003
【図３】
0005845067.tif 000004
【図４】
0005845067.tif 000005
【図５】
0005845067.tif 000006
【図６】
0005845067.tif 000007
【図７】
0005845067.tif 000008
【図８】
0005845067.tif 000009
【図９】
0005845067.tif 000010
【図１０】
0005845067.tif 000011
【図１１】
0005845067.tif 000012
【図１２】
0005845067.tif 000013
【図１３】
0005845067.tif 000014
【図１４】
0005845067.tif 000015
【図１５】
0005845067.tif 000016
【図１６】
0005845067.tif 000017
【図１７】
0005845067.tif 000018
【図１８】
0005845067.tif 000019
【図１９】
0005845067.tif 000020